(57)【要約】  等SMS、MMSのサーバ・データベース内の低消費電力化中または低消費電力内の集積チップをCPU（中央処理装置）に接続され、操作コードの比較子を含む電子のlectronic装置は、また、モバイルで動作することができます電話。符号比較器は、SMSのサーバデータベース内の電池および/または外部電源から得られる低消費電力内で集積チップで動作させることができますMMSなど、また、携帯電話のバッテリーから。コード比較器は、望ましくないものをブロックしたり、望ましくないものをブロックしたり、望ましくないSMS、MMS、Eメール、電話、音声SMS、音声MMS、ファックス、ボイスメールおよび他の通信モードを受信するのに使用することができる。このデータは、数字及び/又は通信サービスセンターまたは携帯電話のサーバーデータベースの記憶装置内の着信通信の単語を比較することによって、コード比較器によって処理されてもよいです。
2018514169.tif 000002
【特許請求の範囲】
【請求項１】
通信サービスセンタのサーバデータベースまたは携帯電話で低消費電力の集積チップと中央処理装置に接続され、操作コード比較器、符号比較器不要を遮断または指名手配の通信を受信するための使用のためにまたは不要なブロッキングおよび指向所望の通信を受信します一つ以上の数及び/又は格納された数字及び/又は通信サービスセンターまたは携帯電話のサーバーデータベースの記憶装置における通信の単語の着信通信の単語を比較することにより、携帯電話に、電子デバイス。
【請求項２】
前記コード比較器は、最大16の異なる文字を表すことができる4ビットコードシステムで使用するように構成された4つのブリッジ回路を含む、請求項1に記載の電子デバイス。
【請求項３】
前記コード比較器は、最大64の異なる文字を表すことができる6ビットコードシステムで使用するように構成された6つのブリッジ回路を含む、請求項1に記載の電子デバイス。
【請求項４】
符号比較器は、4ビットのバイナリコードまたは6ビットバイナリコードまたは複数の2進コードの数及び/又は言葉で表すことができる前記文字を比較するように構成されている、請求項1に記載の電子デバイス。
【請求項５】
符号比較器は、複数のトランジスタを備え、ダイオード、バッテリ及び/又は通信サービスセンタのサーバデータベース、または携帯電話の電池に外部電源から得られる低消費電力内で動作するように構成された抵抗器、請求項1の電子デバイス。
【請求項６】
符号比較器iは、電池及び/又は外部電源通信サービスセントErのサーバのデータベースに、又はバッテリから得られる低消費電力内でCの腰をntegratedで動作するように構成される、携帯電話の、請求項1に記載の電子デバイス。
【請求項７】
操作であることを特徴とする請求ブリッジ回路は、文字の指定された入力によってコード比較器のブリッジ回路の総複数のブリッジ回路の特定のスイッチを切ることにより、スイッチング回路によって作動されるように構成されている、通信サービスセントErのサーバデータベースまたは携帯電話に前記符号比較器の消費電力を節約するために適合されています、請求項2に記載の電子デバイス。
【請求項８】
Tのransistors、ダイオード、およびコード比較器の抵抗は、トランジスタの複数の特定のスイッチを切ることにより、スイッチング回路によって作動されるように構成されている、ダイオード、トランジスタの総複数の抵抗、ダイオード、動作は電力消費を節約するように適合されていることを特徴とする請求文字の所定の入力によってコード比較器の抵抗は、コmmunicationサービスセントErのサーバのデータベースまたは携帯電話のコード比較器装置しました、請求項1に記載の電子デバイス。
【請求項９】
符号比較器が接続し、通信サービスセンタのサーバデータベースにCPUによって操作される、請求項1に記載の電子デバイス。
【請求項１０】
符号比較器が接続し、携帯電話のCPUで動作される、請求項1に記載の電子デバイス。
【請求項１１】
符号比較器の機能はクラウドサービス又はクラウドコンピューティングに実装される、請求項1に記載の電子デバイス。
【請求項１２】
コード比較子を含む電子デバイスは、前記コード値比較を中央処理ユニtに接続されており、コード比較器をSMSまたはMMSのサーバーデータベース内のCPUによって操作され、また午前obile電話であることを特徴とする、請求符号比較器であり、前記しましたで動作私はSMS又はMMSのサーバデータベースに電力補遺yをバッテリからおよび/または外部得られ、また、m個のobile電話のバッテリから低消費電力でのC腰をntegrated私の低電力消費の動作をntegratedC私はSMSやMMSのサーバデータベースで述べてコードコンペアラーの消費電力を節約するために、Cの腰をntegratedの腰は、継続的に言った、コード比較演算の機能と低消費電力の動作を操作している、とも携帯電話でと言いました希望者の受信に使用するために、望ましくないものをブロックし、希望するSMS、MMS、Eメール、電話、音声、SMS、MMS、音声、ファックス、ボイスメールおよび細胞メールや携帯メールを含む通信の他のモード、パーソナル・デジタル・アシスタント、数字及び/又は着信SMS、MMSの単語を比較することによって、コード比較器によって処理されているコンピュータを含む携帯電話によって送信された、固定無線電話および他の通信装置、電子メール、電話、音声SMS、音声MMS、ファックス、ボイスメール、およびセルメール、SMS、MMS、Eメール、電話の既に記憶された番号および/またはワードを有するモバイルメールを含む他の通信モード音声SMS、音声MMS、ファックス、ボイスメールや他の通信は、SMSサービスCENTEのR、MMSサービスセンタとGPRSサポートノード（サービング含む他の通信サービスCENTErのサーバのデータベースの記憶装置におけるセルメール、携帯メールを含みます交換センターSGSN）、モバイルサービス（MSC）、Eメール、電話、音声、SMS、MMS、音声、ファックス、ボイスメールを含みます携帯電話のメモリデバイス、固定無線電話、およびパームオペレーティングシステムベースの携帯電話を含む他の無線電話、Windowsオペレーティングシステムベースのモバイルスマートフォン、電子デバイス。
【請求項１３】
数字からなる群から選択される、請求項1~2のいずれかに記載のコード比較子を含む電子デバイスであって、電話番号、固定無線電話番号、携帯電話番号、固定無線電話SMSの番号、MMS、電話、ボイスSMS、音声MMS、ファックス、ボイスメール、電子メールのID、メッセージの細胞メール、携帯メールを含みSMS、MMS、電子メール、電話秒、音声SMS、音声MMS、ファックス、ボイスメールやその他の通信の、電子デバイス。
【請求項１４】
電源がGPRSサポートノード（SGSN）サービング含むSMSサービスセンター、MMSサービスセンタと他の通信サービスセンタのサーバデータベースに前記デバイスを動作させるために必要なことを特徴とする請求項12に記載のコード比較子を含む電子デバイス、センター（MSC）、Eメール、電話、音声、SMS、音声MMS、ファックス、ボイスメールを移動サービス交換は、外部電源から取得され、外部電源がバッテリーである、と言ったコード比較子を用いて操作されましたSMSまたはMMSのサーバーデータベース内の外部電源、及び集積チップの低電力消費の動作から得られる低消費電力内集積チップは、非常に長い時間のために前記コード比較器の機能と低の動作連続的に動作しています消費電力を節約するために統合されたチップの消費電力は、SMSやMMSのサーバーのデータベースのコード比較子と述べました、電子デバイス。
【請求項１５】
符号比較器を備えた電子機器は、携帯電話機に前記装置を動作させるために必要な電源は、パームオペレーティングシステムベースの携帯電話を含む無線電話および他の無線電話を固定する、請求項12、Windowsオペレーティングシステムのいずれかに記載のモバイルベースのモバイルスマートフォンは、パームオペレーティングシステムベースの携帯電話、Windowsオペレーティングシステムベースのモバイルスマートフォンを含む携帯電話ハンドセット、固定無線電話および他の無線電話のバッテリから得られ、前記コード比較器は、携帯電話の電池から得られる低消費電力と、携帯電話における前記コード比較器の消費電力を節約するための低消費電力の集積チップの動作とを含む、電子デバイス。
【請求項１６】
請求項12に記載のコード比較子を含む電子デバイスであって、ここで、
（a）SMS、MMS、Eメール、電話、音声SMS、ボイスMMS、ファックス、ボイスメールおよびその他の通信の望ましくない数字および/または単語は、セルメールを含み、モバイルメールはSMSまたは他の適切な設定を使用してヤシのオペレーティングシステムベースの携帯電話、SMSサービスセンターのサーバのデータベースにモバイルスマートフォンをベースのWindowsオペレーティングシステム、GPRSサポートノード（サービング含まMMSサービスセンター及びその他の通信サービスセンターを含み、携帯電話、固定無線電話および他の無線電話SGSN）、それぞれのモバイル・サービス・プロバイダを介してセンター（MSC）、Eメール、電話、音声、SMS、MMS、音声、ファックス、ボイスメールを移動サービス交換。SMS、MMS、Eメール、電話、ボイスSMS、ボイスMMS、ファックス、ボイスメールなどの複数の不要な番号および/または単語がセルメールを含む場合、モバイルメールは携帯電話から送信され、固定無線携帯電話や他の無線電話ヤシのオペレーティングシステムベースの携帯電話を含んで、WindowsオペレーティングシステムGPRSサポートノード（SGSN）、モバイルサービスをサービング含む、SMSサービスセンター、MMSサービスセンター及びその他の通信サービスセンターのサーバのデータベースにモバイルスマートフォンをベースセンター（MSC）、Eメール、電話、音声、SMS、MMS、音声、ファックス、ボイスメールを切り替えます。電話SMS、音声MMS、ファックス、ボイスメール、およびセルメール、送信者によって送信されたモバイルメールを含む他の通信モードの番号および/またはワードが、SMS、MMS、Eメール、電話、音声SMS、音声MMS、ファックス、ボイスメールおよびその他の通信の望ましくない数字および/または単語は、セルメール、送信されるモバイルメール携帯電話で、パームオペレーティングシステムベースの携帯電話を含む固定無線電話や他の無線電話は、携帯スマートフォンベースのWindowsオペレーティングシステムは、符号比較器記憶装置に記憶されています
（b）電話着信、音声SMS、音声MMS、ファックス、ボイスメール、およびセルメール、送信者によって送信されたモバイルメールを含む他の通信モードの番号および/またはワードが、コード比較器によってステップ（a）のようにメモリデバイスに不要な数および/またはワードを格納し、
（c）符号比較器で比較される数値及び/又は単語がステップと同じである場合（B）、着信SMSの数及び/又は単語、MMS、電子メール、電話、音声SMS、音声MMS、ファックス、ボイスメールおよびその他の通信にはセルメールが含まれ、モバイルメールはそれぞれのサーバーデータベースでブロックまたは削除され、
（d）符号比較器で比較される数値及び/又は単語がステップのように異なる場合（B）、着信SMSの数及び/又は単語、MMS、電子メール、電話、音声SMS、音声MMS、ファックス、ボイスメールなどの通信にはセルメールが含まれ、モバイルメールはそれぞれの番号に送信されます、電子デバイス。
【請求項１７】
請求項12に記載のコード比較子を含む電子デバイスであって、
（a）電話着信、音声SMS、音声MMS、ファックス、ボイスメール、およびセルメールを含む他の通信モードの番号および/またはワード、携帯電話ハンドセット内のモバイルメールが受信され、固定ワイヤレス電話、およびパームオペレーティングシステムベースの携帯電話、Windowsオペレーティングシステムベースのモバイルスマートフォンを含む他のワイヤレス電話、コード比較者は、受信したSMS、MMS、Eメール、電話、音声SMSの数および/、MMS、Eメール、電話、音声SMS、ボイスMMS、ファックス、ボイスメールの不要な番号および/または単語のリストを含む携帯メールを含む音声メール、音声MMS、ファックス、他の通信には、携帯メール、携帯電話のメモリ装置に既に格納されている携帯メール、固定無線電話などのパームオペレーティングシステムベースの携帯電話を含む無線電話、Windowsオペレーティングシステムベースのモバイルスマートフォン、
（b）コード比較者において比較される数字および/または単語がステップ（a）と同じである場合、受信されたSMS、MMS、電子メール、電話、音声SMS、音声MMS、FAX、ボイスメールなどの通信にはセルメールが含まれ、モバイルメールは受信セットでブロックまたは削除されます。
（c）符号比較器で比較される数値及び/又は単語がステップのように異なる場合（A）、受信したSMSの数及び/又は単語、MMS、電子メール、電話、音声SMS、音声MMS、ファックス、ボイスメールおよびその他の通信にはセルメールが含まれ、受信セットの表示画面にはモバイルメールが表示され、受信したSMS、MMS、Eメール、電話、ボイスSMS、ボイスMMS、ファックス、音声のアラートトーンメールやその他の通信にはセルメールが含まれているため、モバイルメールが有効になります、電子デバイス。
【請求項１８】
請求項12に記載のコード比較子を含む電子デバイスであって、
（a）SMS、MMS、Eメール、電話、音声SMS、音声MMS、ファックス、ボイスメールおよびその他の通信の所望の数字および/または単語は、セルメールを含み、モバイルメールはSMSまたは他の適当な設定を使用してヤシのオペレーティングシステムベースの携帯電話、SMSサービスセンターのサーバのデータベースにモバイルスマートフォンをベースのWindowsオペレーティングシステム、GPRSサポートノード（サービング含まMMSサービスセンター及びその他の通信サービスセンターを含み、携帯電話、固定無線電話および他の無線電話SGSN）、それぞれのモバイル・サービス・プロバイダを介してセンター（MSC）、Eメール、電話、音声、SMS、MMS、音声、ファックス、ボイスメールを移動サービス交換。SMS、MMS、Eメール、電話、ボイスSMS、ボイスMMS、ファックス、ボイスメールおよびその他の通信のセル電話を含む複数の所望の番号および/またはワード、携帯電話からのモバイルメール、固定無線携帯電話や他の無線電話ヤシのオペレーティングシステムベースの携帯電話を含んで、WindowsオペレーティングシステムGPRSサポートノード（SGSN）、モバイルサービスをサービング含む、SMSサービスセンター、MMSサービスセンター及びその他の通信サービスセンターのサーバのデータベースにモバイルスマートフォンをベースセンター（MSC）、Eメール、電話、音声、SMS、MMS、音声、ファックス、ボイスメールを切り替えます。電話SMS、音声MMS、ファックス、ボイスメール、およびセルメール、送信者によって送信されたモバイルメールを含む他の通信モードの番号および/またはワードが、SMS、MMS、Eメール、電話、音声SMS、音声MMS、ファックス、ボイスメールおよびその他の通信の所望の数字および/または単語は、セルメール、送信されるモバイルメール手のひらオペレーティングシステムベースの携帯電話を含む固定電話および固定無線電話によって、Windowsオペレーティングシステムベースのモバイルスマートフォンがコード比較メモリデバイスに格納され、
（b）電話着信、音声SMS、音声MMS、ファックス、ボイスメール、およびセルメール、送信者によって送信されたモバイルメールを含む他の通信モードの番号および/またはワードが、コード比較器によってステップ（a）のように記憶装置に所望の数および/またはワードを記憶し、
（c）コード比較者において比較される数字および/または単語がステップ（a）と同じである場合、着信SMS、MMS、電子メール、電話、音声SMS、音声MMS、FAX、ボイスメールなどの通信にはセルメールが含まれ、モバイルメールはそれぞれの番号に送信され、
（d）コード比較器で比較される数字および/または単語がステップ（a）と異なる場合、着信SMS、MMS、Eメール、電話、音声SMS、音声MMS、ファックス、ボイスメールおよびその他の通信にはセルメールが含まれ、モバイルメールはそれぞれのサーバーデータベースでブロックまたは削除されます、電子デバイス。
【請求項１９】
請求項12に記載のコード比較子を含む電子デバイスであって、
（a）電話着信、音声SMS、音声MMS、ファックス、ボイスメール、およびセルメールを含む他の通信モードの番号および/またはワード、携帯電話ハンドセット内のモバイルメールが受信され、固定ワイヤレス電話、およびパームオペレーティングシステムベースの携帯電話、Windowsオペレーティングシステムベースのモバイルスマートフォンを含む他のワイヤレス電話、コード比較者は、受信SMS、MMS、電子メール、電話、音声SMSの数および/または単語を比較する、音声MMS、ファックス、ボイスメールおよびその他の通信には、セルメール、SMS、MMS、Eメール、電話、音声SMS、ボイスMMS、ファックス、ボイスメールの所望の番号および/他の通信には、携帯メール、携帯電話のメモリ装置に既に格納されている携帯メール、固定無線電話などのパームオペレーティングシステムベースの携帯電話を含む無線電話、Windowsオペレーティングシステムベースのモバイルスマートフォン、
（b）コード比較者において比較される数字および/または単語がステップ（a）と同じである場合、受信されたSMS、MMS、電子メール、通話、音声SMS、音声MMS、FAX、音声メールなどの通信にはセルメールが含まれ、受信セットの表示画面には携帯メールが表示され、受信したSMS、MMS、Eメールの警告音、電話、ボイスSMS、ボイスMMS、ファックス、ボイスメールなどの通信にはセルメール、モバイルメールの起動、
（c）MMS、Eメール、電話、音声SMS、音声MMSなどの数字および/または単語が、ステップ（a）のようにコード比較器で比較される数字および/または単語が異なる場合、ファックス、ボイスメールおよびその他の通信にはセルメールが含まれ、モバイルメールは受信セットでブロックまたは削除されます、電子デバイス。
【請求項２０】
請求項12に記載のコードを含む20の電子機器は、R比較します
（a）SMS、MMSなどの望ましくない番号および/または言葉は、電子メール、電話、音声SMS、音声MMS、ファックス、ボイスメール、およびその他の通信にはセルメールが含まれ、携帯メールはSMSまたは携帯電話、固定無線電話およびその他の携帯電話SMSサービスセンタのサーバデータベース、MMSサービスセンタ、およびSGSN（ServingGPRSSupportNode）、モバイルサービススイッチング（MobileServicesSwitching）サービスを含む他の通信サービスセンタのサーバデータベース内のデータベースを受信し、それぞれのモバイルサービスプロバイダを通じて、センター（MSC）、電子メール、電話、音声SMS、音声MMS、ファックス、ボイスメール、
（b）SMS、MMS、Eメール、電話、音声SMS、音声MMS、ファックス、ボイスメールおよびその他の通信の望ましくない所望の数字および/または単語が携帯メールを含む携帯メールを含む場合、固定無線電話などの携帯電話、パームオペレーティングシステムベースの携帯電話、Windowsオペレーティングシステムベースのモバイルスマートフォンをブロッキングデータベースに接続し、SMSサービスセンター、MMSサービスセンター、サービングを含むその他の通信サービスセンターのサーバーデータベースにデータベースを受信するその他のワイヤレス電話GPRSサポートノード（SGSN）、モバイルサービススイッチングセンター（MSC）、電子メール、電話、音声SMS、音声MMS、ファックス、ボイスメール、SMS、MMS、Eメール、電話、ボイスSMS、ボイスMMS、ファックス、ボイスメールおよびその他の通信の同じ番号および/またはワードはセルメールを含み、モバイルメールは携帯電話、固定無線電話およびパームオペレーティングシステムベースの携帯電話を含む他の無線電話、ブロッキングデータベースへのWindowsオペレーティングシステムベースのモバイルスマートフォン、SMSサービスセンター、MMSサービスセンターおよびサービングGPRSサポートノードを含む他の通信サービスセンターのサーバーデータベース内のデータベースを受信するSGSN）、モバイルサービススイッチングセンター（MSC）、電子メール、電話、音声SMS、音声MMS、ファックス、ボイスメール、メッセージ例。エラー番号は、携帯電話、固定無線電話及びパームオペレーティングシステムベースの携帯電話、モバイルサービスプロバイダのそれぞれのサービスセンターのサーバデータベースからのWindowsオペレーティングシステムベースのモバイルスマートフォンを含む他の無線電話に自動的に送信され、
（c）電話SMS、音声MMS、ファックス、ボイスメール、およびセルメール、送信者によって送信されたモバイルメールを含む他の通信モードの番号および/またはワードが、コードのそれぞれのサーバーのデータベースの比較子、不要とSMS、MMS、Eメール、電話、音声、SMS、音声MMS、ファックス、ボイスメールやその他の通信の希望番号および/または単語は、細胞メール、携帯メールを含み手のひらオペレーティングシステムベースの携帯電話、Windowsオペレーティングシステムベースのモバイルスマートフォンを含む携帯電話、固定無線電話および他の無線電話によって送信されるコード比較メモリデバイスに格納され、
（d）コード比較者は、着信SMS、MMS、Eメール、電話、音声SMS、音声MMS、FAX、音声メール、およびセルメール、送信者によって送信されたモバイルメールを含む他の通信モードの数および/SMS、MMS、Eメール、電話、音声SMS、音声MMS、ファックス、ボイスメールおよびその他の通信の望ましくないおよび所望の数字および/または単語は、セルメール、パーム・オペレーティング・システム・ベースの携帯電話を含む固定無線電話および他の無線電話、Windowsオペレーティング・システム・ベースのモバイル・スマート・フォン、
（e）SGSN（ServiceingGPRSSupportNode）、MSC（MobileServicesSwitchingCenter）、E-mail、電話などのSMSサービスセンター、MMSサービスセンターおよび他の通信サービスセンターのサーバデータベースに新しいオプションがアクティブであり、通話、音声SMS、音声MMS、ファックス、設定された音声メール、
（f）通話中のSMS、MMS、Eメール、電話、音声SMS、音声MMS、ファックス、ボイスメール、および携帯メールを含む他の通信モードの番号および/または単語がブロッキングデータベース受信したSMS、MMS、Eメール、電話、音声SMS、音声MMS、FAX、ボイスメールおよびその他の通信の番号および/またはワードにセルメールが含まれている場合、モバイルメールはそれぞれの数、
（g）通話中のSMS、MMS、Eメール、電話、音声SMS、音声MMS、ファックス、ボイスメール、および携帯メールを含む他の通信モードの番号および/または単語がブロッキングデータベースのコード比較者の同じです。着信SMS、MMS、Eメール、電話、音声SMS、音声MMS、ファックス、ボイスメール、および受信データベース内で比較されるセルメール、モバイルメールを含む他の通信モードの数および/またはワードコード比較者の、
（h）通話中のSMS、MMS、Eメール、電話、音声SMS、ボイスMMS、ファックス、ボイスメール、および受信データベース内で比較されるセルメール、モバイルメールを含む他の通信モードの数および/またはワードのコード比較者の同じです。着信SMS、MMS、Eメール、電話、ボイスSMS、ボイスMMS、ファックス、ボイスメールおよびその他の通信の番号および/またはワードはセルメールを含み、モバイルメールはそれぞれの番号に送信され、
（私）通話中のSMS、MMS、Eメール、電話、音声SMS、ボイスMMS、ファックス、ボイスメール、および受信データベース内で比較されるセルメール、モバイルメールを含む他の通信モードの数および/またはワードのコード比較の違いは、着信SMS、MMS、Eメール、電話、ボイスSMS、ボイスMMS、ファックス、ボイスメールおよびその他の通信の番号および/またはワードはセルメールを含み、モバイルメールは新しいオプションに基づいてアクティブまたは各サーバー・データベースで設定されたとおりに非アクティブです、電子デバイス。
【請求項２１】
請求項12に記載のコード比較子を含む電子デバイスは、前記
（a）電話着信、音声SMS、音声MMS、ファックス、ボイスメール、およびセルメールを含む他の通信モードの番号および/またはワード、携帯電話ハンドセット内のモバイルメールが受信され、固定ワイヤレス電話、およびパームオペレーティングシステムベースの携帯電話、Windowsオペレーティングシステムベースのモバイルスマートフォンを含む他のワイヤレス電話、コード比較者は、受信SMS、MMS、電子メール、電話、音声SMSの数および/または単語を比較するMMS、電子メール、通話、音声SMS、音声MMS、ファックス、電子メールの望ましくない所望の番号および/または単語のリストを有する携帯メール、携帯メールを含む音声メールMMS、ファックス、ボイスメールなどの通信には、携帯メール、携帯電話のメモリデバイスに既に格納されている携帯メール、固定無線電話などの手のひらオペレーティングシステムベースの携帯電話、Windowsオペレーティングシステムベースのモバイルスマートフォン、
（b）コード比較者のブロックデータベース内で比較される数字および/または単語が異なる場合、電話SMS、音声SMS、音声MMS、ファックス、ボイスメール及びその他の通信の番号及び/又はワードがセルメールを含む場合、受信セットの表示画面にはモバイルメールが表示されるMMS、電子メール、電話、音声SMS、音声MMS、ファックス、ボイスメール、およびその他の通信にはセルメールが含まれ、モバイルメールはアクティブ化され、
（c）コード比較者のブロックデータベース内で比較される数字および/または単語が同じである場合、コード比較者の受信データベース内で比較される数字および/または単語、
（d）コード比較者の受信データベース内で比較される数字および/または単語が同じである場合、受信されたSMS、MMS、および/または、Eメール、電話、音声、SMS、音声MMS、ファックス、ボイスメールやその他の通信は、携帯メールは設定受信し、受信したSMSのアラートトーン、MMS、Eメールの表示画面に表示され、セルのメールが含まれて、電話、ボイスSMS、ボイスMMS、ファックス、ボイスメールなどの通信にはセルメール、モバイルメールの起動、
（e）コード比較者の受信データベース内で比較される数字および/または単語が異なる場合、MMS、Eメール、電話、音声SMS、ボイスMMS、ファックス、ボイスメールおよびその他の通信の番号および/またはワードはセルメールを含み、モバイルメールは新しいメッセージオプションに基づいて動作する携帯電話のサブメニュー、固定無線電話、およびパームオペレーティングシステムベースの携帯電話、Windowsオペレーティングシステムベースのモバイルスマートフォンを含む他の無線電話で選択されているように、非アクティブである、電子デバイス。
【請求項２２】
不要な通信を遮断するか、所望の通信を可能にするか、不要な通信をブロックし、所望の通信を可能にする方法電子デバイス上で、
一つ以上の数及び/又は通信サービスセンターまたは携帯電話のサーバーデータベースの記憶装置に記憶された通信の数および/または単語の着信通信の単語を比較し、電子デバイス。
【発明の詳細な説明】
【技術分野】
【０００１】
本開示は、SMS（ショートメッセージサービス）、MMS（マルチメディアサービス）と他の通信サービスのために、特に、一般的に移動体通信に関し、。また、携帯電話、固定無線電話や他の無線電話通信に関連しています。
【背景技術】
【０００２】
今日、SMS、MMSなどによる通信は、世界中のすべてのモバイルユーザーによって使用されています。その上でSMS、MMSとの毎日何百万人は銭トンまたは数秒以内にモバイルユーザーによって受信されます。SMS、MMSなどのシステムは、モバイルユーザーにとって非常に便利です。一方、このSMSやMMSなども悪意のあるユーザーによって悪用されています。未知の人にSMSやMMSなどを送信し、外乱を引き起こすなど、いくつかの不正な活動を引用する。脅迫する。携帯電話の動作を停止させたり、そのような迷惑をかけたりする。携帯電話がオンになっているW鶏は、これらの乱れは、モバイルユーザーによって防止することができません。SMS、MMS、およびその他のコミュニケーションモードによるこれらの迷惑は、緊張、疲労、混乱を招き、モバイルユーザーが日々の生活において怒りを抱くようにします。これは、最終的には自分の気分を台無しにし、彼らの通常の作業を麻痺させます。そのため、モバイルユーザーが自分の携帯電話の業務を閉鎖を余儀なくされています。
【０００３】
本発明の目的は、携帯電話、固定無線電話および他の通信によって送信される望ましくないSMS、MMS、Eメール、電話、音声SMS、音声MMS、ファックスメッセージ、ボイスメールおよび他の通信モードをブロックすることである。本発明の目的は、携帯電話、固定無線電話及び固定電話によって送信される所望のSMS、MMS、Eメール、電話、音声SMS、音声MMS、FAXメッセージ、音声メール及び他の通信モードを受信することである。本発明の目的は、望ましくないSMS、MMS、Eメール、電話、音声SMS、音声MMS、ファックスメッセージ、ボイスメール、および他の通信モードを受信することを意図している。携帯電話、固定無線電話、その他の通信機器。本発明は、モバイルユーザに送信される望ましくない通信サービスをブロックするすべての可能性を有する。
【発明の概要】
【０００４】
本発明の目的は、CPU（CentralProcessingUnit）に接続されているコードの比較器と、前記符号比較子を含むn個のElectronic装置であり、符号比較器がSMSのサーバデータベースにCPUによって操作されます、MMS等、また携帯電話では、符号比較器iはSMSのサーバデータベース内の電池および/または外部電源から得られる低消費電力内でCの腰をntegratedで動作することであることを特徴としますなど、また、携帯電話との統合チップsの低消費電力の動作のバッテリーからのMMSを保存するために非常に長い時間のために言ったコードの比較演算の機能と統合されたチップの低消費電力の動作を連続的に動作していますSMSのサーバデータベースにおける前記コード比較器の消費電力、MMSなど、また、携帯電話や、MMS、Eメール、電話を不要に遮断するのに使用するため、指名手配を受け、指名手配SMSを受信する際に使用するため、不要なを遮断するのに使用すると、コードの比較演算では、音声SMS、音声MMS、PDA（パーソナル・デジタル・アシスタント）を含み、細胞メール、携帯メール、携帯電話から送信された、固定無線電話や他の通信装置を含み、ファックス、ボイスメールや他の通信モードは、コンピュータ処理されていますMMS、Eメール、電話、音声SMS、音声MMS、ファックス、ボイスメール、およびセルメール、モバイルメールを含む他の通信モードの数および/またはワードを比較することにより、SMS、MMS、Eメール、電話、音声SMS、音声MMS、ファックス、ボイスメールおよびその他の通信の既に記憶された番号および/または単語は、SMSサービスのサーバデータベースのメモリデバイス内のセルメール、中央、MMSサービスセンターおよびその他のcommunicatioGPRSサポートノード（SGSN）をサービング含みn個サービスセンター、センター（MSC）、Eメール、電話、音声、SMS、音声MMS、ファックス、ボイスメール、携帯電話端末のメモリ装置を含むが、スイッチングモブILEサービス固定無線電話、およびパームオペレーティングシステムベースの携帯電話を含む他の無線電話、Windowsオペレーティングシステムベースのモバイルスマートフォン。T彼のコードを含む装置を動作させるために必要な電力のSUPプライは、GPRSサポートノード（SGSN）をサービングludesをincのSMSサービスセンター、MMSサービスセンター及びその他の通信サービスセンターのサーバのデータベースに比較し、モバイルサービス交換センター（MSC）、Eメール、電話、音声、SMS、MMS、音声、ファックス、ボイスメールは、外部電源から得られます。エクステルNAL電源は電池であってもよいです。T彼LYコードを含む装置を動作させるのに必要な電力SUPPは、携帯電話機、固定無線電話、パームオペレーティングシステムベースの携帯電話を含む他の携帯電話SにRを比較し、Windowsオペレーティングシステムベースのモバイルスマートフォンは、バッテリから得られます。携帯電話端末のパームオペレーティングシステムベースの携帯電話、携帯、スマートフォンをベースのWindowsオペレーティングシステムが含まれ、固定無線電話および他の無線電話の。通信のパーソナルプラグインRモードは、セルとすることができますメール、携帯メールのように。sがPDA、パソコンなどすることができOT彼女の通信装置。ANC他の通信サービスセンタGPRSサポートノード（SGSN）、モバイルサービスの交換センターにサービスを提供すること（MのSC）のように。他の携帯電話の缶携帯電話、窓をベースとヤシのオペレーティングシステムでありますその上、携帯スマートフォンをベースとオペレーティングシステム。数字はその上で、携帯電話番号、電話番号、固定無線電話番号となります。数字は携帯電話番号、電話番号、SMS、MMSの固定無線電話番号、電話、音声、SMS、MMS、音声、ファックス、ボイスメールも。数字および/または単語は電子メールIDすることができます。数字および/または単語がようにSMS、MMS、Eメール、電話、音声、SMS、MMS、音声、ファックス、ボイスメールとのメッセージとすることができます。数字および/または単語は、任意のキーワードこと。この原理を組み込むために、SMSサービスセンター、MMSサービスセンター及びその他の通信サービスセンターと既存の携帯電話端末での既存のサーバーデータベースの技術の変化、固定無線電話および他の携帯電話の必要性があります。
【０００５】
本発明の主要目的でありますコード比較子を含むNElectronic装置。コードのCOMparerは、CPU（CentralProcessingUnit）に接続されており、SMS、MMS等のサーバデータベースのCPUで動作し、コード比較器を用いて操作されるiがバッテリから得られる低消費電力内でチップ秒ntegrated言われています及び/又はSMS、MMS等のサーバ・データベース内の外部電源、およびIの低電力消費の動作は、C腰が連続前記コード非常に長い時間のための比較器と、低消費電力の動作の機能を動作さntegrated私は、SMS、MMSなどのサーバーのデータベース内のコードの比較演算、および使用のために言ったコードの比較演算が不要なSMSをブロックで述べて、MMS、Eメール、電話、ボイスSMSの消費電力を節約するために、Cの腰をntegratedの音声MMS、ファックス、ボイスメールおよび細胞メール、携帯電話によって送信された携帯メール、PDA（パーソナル・デジタル・アシスタント）、によって処理されているコンピュータを含む固定無線電話や他の通信装置を含む通信の他のモード細胞メール、すでに付きの携帯メールが含まれてSMS、MMS、Eメール、電話、音声、SMS、音声MMS、ファックス、ボイスメールや通信の他のモードをINGの番号及び/またはINCOMの言葉を比較することにより、コードコンペアラー保存された数字および/またはSMSの言葉、MMS、Eメール、電話、音声、SMS、音声MMS、ファックス、ボイスメールやその他の通信は、SMSサービスセンターのサーバデータベースのメモリ素子のセルメール、携帯メールを含み、MMSサービスセンターそして、他の通信サービスセンターどの含まサービングGPRSサポートノード（SGSN）、交換センター（MSC）のMobILEサービスのサーバのデータベースに削除することができるEメール、電話、音声、SMS、音声MMS、ファックス、ボイスメールSMSサービスセンター、MMSサービスセンター及びその他の通信サービスセンター。
【０００６】
本発明の別の目的は、コード比較器と、前記コードのCOMparerを含む電子デバイスは、CPU（CentralProcessingUnit）に接続されており、コード比較器を携帯電話内のCPUによって操作され、前記統合で動作するコードの比較器であると言われています携帯電話のバッテリから得られる低消費電力のチップと、低消費電力のチップとは、前記コード比較器の機能を非常に長時間にわたって連続的に動作させ、チップを節約するための低消費電力のチップ消費電力は、使用のための携帯電話と言ったコードの比較演算のコードの比較演算は、不要なSMS、MMSをブロックで言いました電子メール、通話、音声SMS、音声MMS、ファックス、ボイスメール、セルラーメール、携帯電話によって送信されるモバイルメール、固定無線電話、PDAを含む他の通信デバイスを含む他の通信モード入ってくるSMS、MMS、Eメール、電話、音声、SMS、音声MMS、ファックス、ボイスメールや他のモードの数および/または単語を比較することで、コードの比較演算によって処理されている（パーソナル・デジタル・アシスタント）、コンピュータMMS、Eメール、電話、音声SMS、音声MMS、ファックス、ボイスメールおよびその他の通信の望ましくない番号および/または単語を含むモバイルメールを含む通信のセルメール、モバイル携帯電話端末で削除することができ、携帯、スマートフォン、固定無線電話および他の携帯電話をベースと携帯電話端末、固定無線電話やパームオペレーティングシステムベースの携帯電話を含む他の無線電話、Windowsオペレーティングシステムのメモリデバイス内のメール。
【０００７】
本発明の別の目的は、符号比較器と、前記符号比較子を含む電子デバイスは、CPU（CentralProcessingUnit）に接続されており、コード比較器を等SMS、MMSのサーバデータベースにCPUによって操作され、前記コード比較器は集積チップで動作すると言われています電池及び/又は外部電源等SMS、MMSのサーバデータベースに、および集積チップの低電力消費の動作から得られる低消費電力内で非常に長い時間のために前記コード比較器の機能連続的に動作していると消費電力を節約するために統合されたチップの低消費電力の動作は、SMS、MMSなどのサーバ・データベース、および希望SMSの受信に使用、MMS、Eメール、電話用とコード値比較でコードコンペアラーと細胞メール、携帯電話によって送信される携帯メール、PDA（Persoを含む固定無線電話および他の通信装置を含み、音声SMS、MMS、音声、ファックス、ボイスメールおよび通信の他のモードNAL・デジタル・アシスタント）、入ってくるSMS、MMS、Eメール、電話、音声、SMS、音声MMS、ファックス、ボイスメールや他のモードの数および/または単語を比較することで、コードの比較演算によって処理されているコンピュータセルメール、既に保存されているモバイルメールを含む通信数字および/またはSMS、MMS、Eメール、電話、音声、SMS、音声MMS、ファックス、ボイスメールの単語やその他の通信は、SMSサービスセンターのサーバデータベースのメモリ素子のセルメール、携帯メールを含んを望んでいました交換センターサービングGPRSサポートノード（SGSN）、モバイルサービスを含んで、MMSサービスセンター及びその他の通信サービスセンター（MSC）、Eメール、電話、音声、SMS、音声MMS、ファックス、SMSサービスセンター、MMSサービスセンター及びその他の通信サービスセンターのサーバデータベースで受け入れ可能ボイスメール。
【０００８】
本発明の別の目的は、コード比較器と、前記符号比較子を含む電子デバイスは、CPU（CentralProcessingUnit）に接続されており、コード比較器を携帯電話にCPUによって操作されると、コード比較器は集積チップで動作すると言われています携帯電話のバッテリーから得られる低消費電力内で低消費電力の集積チップの動作は、コード比較器の機能を長期間にわたって継続し、電力を節約するための低消費電力チップの動作消費量は、コードの比較演算は、指名手配SMS、MMSを受信して携帯電話と使用のために言ったコードの比較子に言いました電子メール、通話、音声SMS、音声MMS、ファックス、ボイスメール、セルラーメール、携帯電話によって送信されるモバイルメール、固定無線電話、PDAを含む他の通信デバイスを含む他の通信モード着信SMSの数及び/又は単語を比較することによって、コード比較器によって処理されている（パーソナルデジタルアシスタント）、コンピュータ、MMS、電子メール、電話、音声SMS、音声MMS、ファックス、音声メール、およびセルメール、SMS、MMS、Eメール、電話の既に記憶された所望の番号および/または単語を含む移動メールを含む他の通信モード音声メール、音声MMS、ファックス、ボイスメールおよびその他の通信には、セルメール、携帯電話ハンドセットのメモリデバイス内のモバイルメール、固定無線電話およびパームオペレーティングシステムベースの携帯電話を含む他の無線電話、Windowsオペレーティングシステム携帯電話機、固定無線電話機、その他の無線電話機で受け入れ可能な携帯型のスマートフォンです。
【０００９】
Anot本発明の彼女の目的は、コード比較器を備える電子装置であり、前記コード比較器は、CPU（CentralProcessingUnit）に接続されており、コード比較器は、SMS、MMS等のサーバデータベースにCPUによって操作され、前記コードを言われていますコンシューマーは、SMSのサーバーデータベース内のバッテリーおよび/または外部電源から得られた低消費電力内で統合チップを使用して動作するものであり、MMSなど、および集積チップの低消費電力化の操作は、サーバーの中で述べてコードコンペアラーの消費電力を節約するために非常に長い時間のために言ったコードの比較演算の機能と統合されたチップの低消費電力の動作を連続的に動作していますSMSのデータベース、MMSなど、不要なを遮断し、細胞のメールが含まれて指名手配SMS、MMS、Eメール、電話、音声、SMS、音声MMS、ファックス、ボイスメールやその他の通信モードを受信する際に使用すると、コードコンペアラー、携帯電話から送信された携帯メール、PDA（パーソナル・デジタル・アシスタント）を備え、固定無線電話及びその他のコミュニカのション・デバイスは、着信SMSの番号および/または単語を比較することで、コードの比較演算によって処理されているコンピュータ、MMS、電子メール、電話、音声SMS、音声MMS、ファックス、音声メール、およびセルメール、SMS、MMS、Eメールの既に記憶されている不要な番号および/または単語を含むモバイルメールを含む他の通信モード、電話、音声、SMS、音声MMS、ファックス、ボイスメールやその他の通信は、SMSサービスセンター、MMSサービスセンターとサービングGPRSサポートノード含み、他の通信サービスセンタのサーバデータベースのメモリデバイス内の細胞メール、携帯メールを含み（SGSN）、モビセンター（MSC）、Eメール、電話、音声、SMS、音声MMS、ファックス、SMSサービスセンターのサーバデータベースで削除され、受け入れ可能ボイスメール、MMSサービスセンターや他の通信サービスセンターの切り替えルサービス。
【００１０】
本発明の別の目的は、m個のobile電話のCPUによってCPU（中央処理装置）に接続され、操作コードの比較子を含む電子のlectronic装置。符号比較器は、私の低消費電力のMobile電話と操作の電池から得られる低消費電力内でCのヒップは、C腰が連続的に非常に長い時間のコード比較器は、前記の機能を動作ntegratedntegratedで運転されます私の低消費電力化の操作は、携帯電話のコードの比較演算と不要を遮断し、指名手配SMS、MMS、Eメール、電話、音声の受信に使用すると、コードの比較演算子が言ったの消費電力を節約するために、Cの腰をntegrated細胞メール、携帯電話によって送信された携帯メール、PDA（パーソナル・デジタル・アシスタント）を備え、固定無線電話及びその他のコミュニカのション・デバイス、処理されているコンピュータを含むSMS、音声MMS、ファックス、ボイスメールや通信の他のモード数字及び/又はCELを含む着信SMS、MMS、電子メール、電話、音声SMS、MMS、音声、ファックス、ボイスメールおよび通信の他のモードの単語を比較することにより、コード比較器によってLメール、すでに不要な保存と数字および/またはSMSの言葉を望んでいたとの携帯メール、MMSは、Eメール、電話、音声、SMS、音声MMS、ファックス、ボイスメールやその他の通信は、細胞のメール、携帯メールでを含み携帯電話の記憶装置、固定無線電話及びその他の携帯電話、パームオペレーティングシステムベースの携帯電話を含む他の無線電話、ウィンドウズオペレーティングシステムベースのモバイルスマートフォンは、携帯電話のハンドセット内で削除され、受け入れられることができ、固定無線電話及び他の無線電話。
【図面の簡単な説明】
【００１１】
図1~図3は、開示された実施形態の詳細を示す。
【発明を実施するための形態】
【００１２】
以下の点は、コード比較器10を含む電子装置2a、2bであってもよい本発明に関連する。図1、図2、図3、図4、図5を参照すると、ここでは
1）図1に示すように、前記符号比較器100は、トランジスタ1~3、ダイオード12、および/または抵抗器14の複数を含んでもよいです。
【００１３】
2）前記トランジスタ1~3は、ピン、すなわち、ABアーゼ、EのmitterおよびCollectorを有していてもよいです。
【００１４】
3）前記コード比較器10は、複数のトランジスタ、ダイオード、抵抗器によって動作することができる。
【００１５】
4）複数のトランジスタ、ダイオード、抵抗器は、コード比較器を動作させるために互いに電気的に接続されてもよい。
【００１６】
5）符号比較器は、トランジスタ、ダイオード、抵抗器を含むことができる1つのまたは複数のブリッジ回路11を含んでもよいです。
【００１７】
6）ブリッジ回路1の複数のトランジスタ、ダイオード、複数の抵抗を含んでもよいです。
【００１８】
7）前記コード比較器10は、複数のトランジスタ、ダイオード、抵抗器を含むブリッジ回路によって動作させることができる。
【００１９】
8）ブリッジ回路1の複数のトランジスタ、ダイオード、電気コード比較器を動作させるために一緒に接続することができる複数の抵抗を含んでもよいです。
【００２０】
9）ブリッジ回路1の複数のは、最大16個の異なる文字を表すことができる4ビットのコード体系に使用することができる4つのブリッジ回路を含んでもよいです。
【００２１】
10）複数のブリッジ回路は、最大64の異なる文字を表すことができる6ビットコードシステムに使用される6つのブリッジ回路を含むことができる。
【００２２】
11）前記コード比較器10は、4ビットバイナリコードまたは6ビットバイナリコードまたはそれ以上のバイナリコードにおける数字および/または単語によって表される前記文字を比較するように構成されてもよい。
【００２３】
12）電源は、コード比較器のトランジスタ、ダイオード、抵抗に与えることができる。
【００２４】
13）電源は、複数のトランジスタ、ダイオード、抵抗器を含むコード比較器に与えられてもよい。
【００２５】
14）電源は、複数のトランジスタ、ダイオード、抵抗器を共に電気的に接続してコード比較器を動作させるようにしてもよい。
【００２６】
15）電源は、複数のトランジスタ、ダイオード、コード比較器の抵抗器を含むブリッジ回路に与えられてもよい。
【００２７】
16）電源は、複数のトランジスタ、ダイオード、抵抗を一緒に電気的に接続してコード比較器を動作させる複数のブリッジ回路に与えることができる。
【００２８】
17）コード比較器の複数のトランジスタは、バッテリーおよび/またはSMSサービスセンター、MMSサービスセンタと他の通信サービスセンタのサーバ・データベース202内の外部電源。
【００２９】
18）符号比較器の複数のトランジスタは、携帯電話機204、固定無線電話206および他の無線電話の電池から得られる低消費電力内で動作するように設計することができます。
【００３０】
19）前記複数のトランジスタの低消費電力動作は、前記コード比較器の機能を長期間にわたって連続的に動作させることができ、前記複数のトランジスタの低消費電力動作により、前記コード比較器の消費電力を節減することができる。サーバデータベース202SMSサービスセンター、携帯電話機204においても、MMSサービスセンタと他の通信サービスセンタとは、携帯電話206および他の無線電話を固定しました。
【００３１】
20）iは、SMSサービスセンター、MMSサービスセンタと他の通信サービスセンタのサーバ・データベース202内のバッテリおよび/または外部電源から得られる低消費電力内でCの腰をntegratedと前記コード比較器を動作させることができます。
【００３２】
21）iは、携帯電話機204のバッテリ、固定無線電話206および他の無線電話から得られる低消費電力内でCの腰をntegratedと前記コード比較器を動作させることができます。
【００３３】
22）私の低電力消費の動作は、連続的に保存するかの消費電力を低減することができるヒップは、コードの比較器、前記非常に長い時間とIntegratedCの低電力消費の動作のために前記コード比較演算の機能を動作させることができるヒップcはntegrated携帯電話機204にもSMSサービスセンター、MMSサービスセンタと他の通信サービスセンタのサーバ・データベース202は、無線電話206および他の無線電話を固定しました。
【００３４】
23）特定のブリッジ回路は、文字の所定の入力によってコード比較器の全部の複数のブリッジ回路のブリッジ回路のうちのいくつかのブリッジ回路をスイッチオフすることによってスイッチング回路によって動作させることができ、携帯電話機204にもSMSサービスセンター、MMSサービスセンタと他の通信サービスセンタのデータベース202、固定無線電話206および他の無線電話。
【００３５】
24）特定のトランジスタ、ダイオード、抵抗器は、所定の文字入力によってコード比較器の複数のトランジスタ、ダイオード、レジスタの複数のトランジスタ、ダイオード、抵抗器のうちのいくつかをスイッチオフすることによってスイッチング回路によって動作させることができ、SMSサービスセンター、MMSサービスセンタと他の通信サービスセンタ（例えば、図3（a）参照）と、携帯電話ハンドセット204、固定無線電話206および他のサーバデータベース202に前記符号比較器の消費電力を節約します（例えば、図3（b））。
【００３６】
25）図2（a）に示すように、装置2の前記符号比較器100は、CPU（CentralProcessingUnit）に接続されており、符号比較器100は、SMSサービスセンターのサーバデータベース202のCPUで動作させることができると言うことができます、MMSサービスセンター及びその他の通信サービスセンター。
【００３７】
26）図1に示すように、また、図2（b）、（b）に示すように、コード比較部100をCPU（CentralProcessingUnit）130に接続し、コード比較部を携帯電話機204、固定無線電話機206などのCPU携帯電話。
【００３８】
27）図1に示すように、図2（a）及び図3（a）、前記サーバ・データベース202は、プロセッサは、算術論理ユニット、異なるレジスタおよび複数の制御回路を含む、請求項プロセッサ121を含むことができます。サーバデータベース202は122前記コンピュータ読み取り可能な情報、プログラムやユーザデータはプロセッサ121に接続することができる保存することができ、メモリ装置は読み出しと書き込みの両方の機能を受け入れるように構成されてもよい、即ちランダムアクセスメモリデバイスを含んでいてもよいですメモリ、RAM;サーバは、入力ユニット126および/または出力ユニット125を含むインタフェースユニットと、入力部126は、セルを含む数および/または着信SMSの単語、MMS、電子メール、電話、音声SMS、音声MMS、ファックス、ボイスメールおよび通信の他のモードのデータ200を受信するように構成することができますメール、モバイルメール、および入力からの受信データ200は、サーバデータベース202内のプロセッサ121のコード比較器100によって処理されるように転送され、出力部125は、SMSサービスセンター、MMSサービスセンタと各携帯電話機204の各モバイル・サービス・プロバイダの他の通信サービスセンタのサーバ202のプロセッサ121からデータ200を転送するように構成された無線電話206を固定することができますおよび他の無線電話。
【００３９】
28）サーバ202は、ユーザインタフェース部123を含んでもよく、前記ユーザインタフェース部は、キーボード、タッチスクリーン、マイクロフォン及び/又はスピーカを含んでもよいです。SMSサービスセンター、MMSサービスセンタとそれぞれのモバイル・サービス・プロバイダの他の通信サービスセンタのサーバのユーザからデータおよび/または制御コマンドを受信するユーザインターフェース部123缶。プロセッサ121、メモリデバイス122、インタフェースユニット124、ユーザインタフェースユニット123は、受け取ったデータおよび/または格納されたデータまたは情報をサーバ内で順次実行するように電気的に接続されてもよく、この実行は、動作シーケンスを-programmed、符号比較器100は、不要なブロッキング希望を受信し、または不要と所望SMSを受信し、MMS、電子メール、電話、音声SMS、音声MMSを、ブロッキングに使用するように構成されていてもよいですファックス、ボイスメール、セルメール、モバイルメールを含む他の通信モードをサーバデータベース202に格納する。
【００４０】
29）図2を参照する。図2（b）及び図3（b）は、前記携帯電話機204、固定無線電話206と、CPU（CentralProcessingUnit）130を含むことができる他の無線電話。携帯電話機204、固定無線電話206および他の無線電話はさらに、プログラムまたはユーザデータがCPU（CentralProcessingUnit）やメモリデバイス缶に接続された記憶することができる前記メモリデバイス122を含む、装置2bを含んでいてもよいですRAMのような読み取りと書き込みの両方の機能を受け入れます。デバイス2bは、入力ユニット126および/または出力ユニット125を備えるCPUと、入力部126は、セルを含む数および/または着信SMSの単語、MMS、電子メール、電話、音声SMS、音声MMS、ファックス、ボイスメールおよび通信の他のモードのデータ200を受信するように構成することができます携帯電話機204、固定無線電話機206および他の無線電話機のCPUのコード比較器100によって処理されるように転送されてもよい。出力ユニット125および/またはCPUは、CPUと、携帯電話ハンドセット204、固定無線電話206および他の無線電話のディスプレイスクリーン131およびキーパッド132との間でデータを転送するように構成されてもよい。
【００４１】
30）所望のSMS、MMS、Eメール、電話、音声SMS、音声MMSなどを受信するのに使用されるように、望ましくないものをブロックするのに使用するように構成することができる。ファックス、ボイスメール、および携帯電話、固定無線電話、およびPDA（パーソナルデジタルアシスタント）を含む他の通信デバイス、および/またはコンピュータによって送信されるセルメールおよびモバイルメールを含む他の通信モードが含まれる。SMS、MMS、Eメール、電話、音声SMS、音声MMS、ファックス、ボイスメール、および他の通信モードは、着信SMS、MMS、SMS、MMS、Eメール、電話、音声SMS、音声MMSなどの既に記憶されている番号および/または単語と、電子メール、電話通話、音声SMS、音声MMS、ファックス、ファックス、ボイスメール、その他の通信は、細胞メール、サービングGPRSサポートノード（SGSN）、モバイルサービスを含むSMSサービスセンター、MMSサービスセンタ及び/又は他の通信サービスセンタのサーバデータベース202の記憶装置122内の移動メールを含みます交換センター携帯電話ベース（MSC）、Eメール、電話、音声SMS、音声MMS、ファックス、ボイスメール、または携帯電話機204の記憶装置において、固定無線電話206とパームオペレーティングシステムを含む他の無線電話、Windowsオペレーティングシステムベースのモバイルスマートフォン。
【００４２】
31）コード比較機能の機能は、クラウドサービスまたはクラウドコンピューティングで実装できます。
【００４３】
（I）本発明は、ブロッキングの手段を提供します不要SMS、MMS、Eメール、電話、音声、SMS、MMS、音声、ファックス、ボイスメールやその他のモード通信：
1）SMSサービスセンター、MMSサービスセンタのサーバデータベースに、彼女の通信サービスセンタをotの。
【００４４】
2）のMobileで電話ハンドセット、Fixed無線携帯電話や他の携帯電話。
【００４５】
1.本発明は、ブロッキングの手段を提供します不要なSMS、MMS、Eメール、電話、音声、SMS、MMS、音声、ファックス、ボイスメールとCommunicationの他のモードSMSサービスセンター、MMSサービスセンター及びその他の通信サービスセンターのサーバデータベースインチ
1.a）は遮断手段不要なSMS、MMS、Eメール、ファックス
m個のobileユーザは、不要な数及び/又は言葉を送ることができますSMS、MMS、respeのCTIVEモバイル・サービス・プロバイダを介してE-MAIL、ファックス、携帯電話からSMSまたは他の任意の適切な設定を使用して、固定無線電話および他の携帯電話SMSサービスセンターのサーバのデータベースに、MMSサービスセンタと他の通信サービスセンタ。モバイルユーザーは、SMSサービスセンターのサーバのデータベースにMMSサービスセンターをSMS、MMS、Eメール、携帯電話からファックス、固定無線電話および他の携帯電話の複数の不要な数字および/または単語を送ることができ他の通信サービスセンター。モバイルユーザーが既に保存された不要な数字を変更するまで、不要な番号及び/または送信されたSMS、MMS、Eメール、ファックスの言葉は、SMSサービスセンター、MMSサービスセンター及びその他の通信サービスセンターのサーバデータベースで変更されないままSMS、MMS、Eメール、ファックスのおよび/または言葉。SMSサービスセンター、MMSサービスセンター及びその他の通信サービスセンターはSMS、MMSなどのサーバーデータベースに不要な数字および/またはSMS、MMS、Eメール、ファックスの言葉を送ります。その後、不要な数字および/またはSMS、MMS、Eメール、ファックスの言葉は、それぞれのサーバーのデータベースの記憶装置に格納されています。
【００４６】
SMS、MMS、Eメール、ファックスメッセージの受信機は、数字および/または送信者によって送信され、受信SMS、MMS、Eメール、ファックスの言葉を受けます。送信者は、既知または未知の人にSMS、MMS、Eメール、ファックスを送信者をいいます。その後、着信SMS、MMS、Eメールの数および/または単語は、ファックスがsのそれぞれのERVERデータベースのコードコンペアラーに送信されます。C頌歌Comparer比較の数字を、および/または着信SMS、MMS、Eメール、ファックスの言葉送られたと送信者によって、不要な数字および/またはの言葉SMS、MMS、Eメール、ファックス、その既にメモリに格納されているデバイス送信され、携帯電話から、固定無線電話や他の無線電話BのYモバイルユーザ。不要な番号及び/またはSMSの単語、MMS、電子メール、ファックス送信された携帯電話から、固定無線電話および他の携帯電話、モバイルユーザによっては、に格納されているのCODEComparerメモリデバイス。
【００４７】
番号は、携帯することができ、電話番号、電話番号、固定無線電話番号ようにと。番号は、携帯することができ、電話番号、電話番号、固定無線電話番号SMS、MMSの、電話、ファックス。数字および/または単語は電子メールIDすることができます。数字および/または単語は、MESの可能SMS、MMS、Eメール、ファックスのセージ。数字および/または単語は任意のキーワードをすることができます。
【００４８】
n個の電子を含むlectronic装置コード比較器と、前記符号比較器は、CPUに接続されている（中央処理装置）と、コード比較器は、SMSのサーバデータベースにCPUによって操作されるMMSなど、コード比較器を用いて動作することであることを特徴とします私はntegratedCのSMSのサーバデータベース内の電池および/または外部電源から得られる低消費電力、内腰をMMS等、および集積チップの低消費電力の動作は、SMSのサーバデータベースで述べてコードコンペアラーの消費電力を節約するために非常に長い時間のために言ったコードの比較演算の機能と統合されたチップの低消費電力の動作を連続的に動作しています、MMS等コードはSMSサービスのサーバのデータベースに比較含む装置を動作させるために必要な電力供給センター、MMSサービスセンタと他の通信サービスセンタGPRSサポートノードサービング含む（SGSN）、移動サービス交換センター（MSC）、Eメール、電話、音声、SMS、MMS、音声、ファックス、ボイスメールは、外部電源から得られます。外部電源があってもよい電池。
【００４９】
数字及び/又はコード比較器で比較されている単語が目、同じである場合の数及び/又は単語EN着信SMS、MMS、電子メール、ファックスは、それぞれのサーバでブロックまたは削除されたデータベース、メッセージ「「送信者に送信されるに配信されません。符号比較器で比較される数値及び/又は単語が異なる場合は、着信SMSのその後数及び/又は単語は、MMS、電子メール、ファックスを各番号に送られている「に配信」メッセージ送信者に送信。モバイルユーザーが削除することができ、不要な番号及び/またはWORSMSのDS、MMS、Eメール、ファックスされ、既にメモリに保存されているデバイスのサーバーをデータベースのSMSSERVIのCEの中心、MMSサービスセンタと他の通信サービスセンタ次に、着信SMS、MMS、電子メール、ファックスの番号及び/又は単語受信される送信者からのその除去に関連する不要な数字と/またはSMS、MMS、電子メール、ファックスの単語におけるメモリデバイスのサーバー・データベースのSMSサービスセンター、MMSサービスセンタと他の通信サービスセンタモバイルユーザーに送信することができます。すべてのモバイルユーザーはブロックする施設あり、不要な番号及び/または単語のそれぞれのモバイルサービスプロバイダのを。
【００５０】
サーバはSMGに統合され、MSCおよびCの頌歌のCのomparer。ザSERVERのデータベースを削除するように適切に設計され、不要な数字および/またはの言葉の着信、SMS、MMS、Eメールを、ファックスが送信者から受信しました。含むデバイスCODEComparerはれる着信SMS、MMS、電子メール、既に格納されていると、ファックスの番号及び/又は単語比較するために適切に設計され、不要な番号及び/またはSMSの単語、MMS、電子メールを、ファックスメモリにおけるデバイスサーバのデータベースのSMSサービスセンター、MMSサービスセンタと他の通信サービス。想い出デバイスは、巨大な格納するために適切に設計されて数字および/または単語を。
【００５１】
さらにあれば、モバイルユーザーがブロックしたい不要な数字D/または単語を人はまた、顧客ケアoperat連絡することができますかまたはネットワークオペレータをとを知らせるブロックし、不要な番号及び/またはの言葉SMS、MMSや他のモードを通信。
【００５２】
接触と関連ネットワークオペレータに渡された情報に応じてブロッキング不要の数及び/又は単語SMS、MMSや他の通信方式のネットワークオペレータは、直接のエントリを入力することができ、モバイルユーザのを不要数及び/またはSMS、MMSの言葉などへのサーバーのデータベースのそれぞれのサービスの中央すなわち。SMSサービスセンター、MMSサービスセンターなど。
【００５３】
また、ネットワークオペレータは、複数のエントリ入ることができ、不要な番号及び/またはSMS、MMSの言葉、それぞれのサーバーにようにして、データベースを。
【００５４】
さらに、ネットワークオペレータは、削除することができ、不要な番号及び/またはSMS、MMSの単語既に各SMSサーバーに格納されており、そうでデータベース、MMSサーバ、データベースなどを。
【００５５】
さらに数および/または着信SMS、MMSの言葉などににブロックされているサーバのデータベースの各サービスセンターは、移動ユーザに送信することができません。不要な番号及び/又は単語が格納されているのEから除去することができ、それぞれのサーバのntriesデータベースネットワークオペレータへのモバイルユーザの指示による。BASが不要の除去に編数字および/または単語、数字および/または着信SMSの言葉、MMSなどのモバイルユーザーに送信することができます。
【００５６】
1.B）の手段のブロッキング不要なボイスメールを
任意の電気通信機器の呼び出し側はしようとするたびに、コードの比較子を比較し、ボイスメールボックスの機能を持つ携帯電話持っている人に連絡番号および/または言葉で受信コールの任意の電気通信機器の不要な数字および/または単語を携帯電話用ののユーザーによって保存されたメモリ内のNEハンドセットデバイスのボイスメールサーバのデータベース。
【００５７】
携帯電話端末の一般的な使用では何もする施設はありません保存し、不要な番号及び/または単語の音声メールサーバにおける携帯電話機のユーザーが指定したデータベースを。
【００５８】
この特徴を組み込むために、ブロッキング不要な音声の任意の発信者からのメールを格納するために他の構成を実現するための緊急に必要とされている不要な番号及び/またはワードをメモリ内のデバイスボイスメールサーバのデータベースのユーザによって指定されるようにまた、携帯電話端末と比較するために、不要なのコードの比較子に番号および/または単語をボイスメールサーバのデータベースとモバイルユーザーに送信されたボイスメールメッセージをブロックするように。
【００５９】
番号は、携帯することができ、電話番号、電話番号、固定無線電話番号ようにと。番号は、携帯することができ、電話番号、電話番号、固定無線電話番号、ボイスメールの。数字および/または言葉がbのできるSMSの電子メッセージ、電話の呼び出しようにしています。数字および/または単語は任意のキーワードをすることができます。
【００６０】
発信者がオプションしようとしたときに音声でメッセージを送信するメール数および/または単語呼び出し元のコードの比較器でその時点で比較されているボイスメールサーバのデータベース。場合数字及び/又は単語発呼者のがされているのと同じ見出さ指定とに格納された数値及び/又はワードメモリデバイスボイスメールサーバのデータベース携帯電話ユーザによって、音声メールボックスによって送信されたメッセージはブロックされます。呼び出し側のボイスメールによるメッセージは、最終的には死んなります。場合は数字および/または言葉呼び出し側のはあります見つからなかったのと同じ数及び/又はワードが指定され、メモリに格納されたデバイスのボイスメールサーバーデータベース携帯電話ユーザによって、音声メールボックスによって送信されたメッセージは、モバイルユーザに送信されます。呼び出し側のボイスメールによるメッセージは、最終的にアクティブになります。
【００６１】
1.C）を用いブロッキング不要な着信電話を
任意の通信機器の発信者はしようとするたびにコード比較器を用いて受信されたコールのいずれかの通信機器の数と比較する人に連絡して、不要なメモリにおける携帯電話機のユーザによって記憶されている番号デバイスの各サーバデータベース。
【００６２】
携帯電話端末の一般的な使用では何もする施設はありません保存し、不要な数字トンで、携帯電話機の利用者が指定した彼のそれぞれのサーバーのデータベースを。
【００６３】
この特徴を組み込むために、ブロッキング不要な着信コールを任意の発信者から保存するために他の構成を実現するための緊急に必要とされている不要なメモリに番号をデバイスそれぞれのサーバのデータベースにも携帯電話機のユーザによって指定されるように比較するために、不要な番号に、それぞれのコード値比較サーバのデータベースとブロックする着信移動ユーザに送信されます。
【００６４】
番号は、携帯することができ、電話番号、電話番号、固定無線電話番号ようにと。数字は任意のキーワードをすることができます。
【００６５】
発信者がオプションしようとしたときの呼を発呼者の数は、符号比較器にその時点で比較されるそれぞれのSERVのERのデータベース。数字ならば発信者のが発見された番号の同じ指定されたメモリに格納されたデバイスの各サーバデータベース携帯電話ユーザによって、着信呼はブロックされます。呼び出し側の着信コールは、最終的には死んなります。数字ならば発信者のは、S見出されていない番号のAME指定を、メモリに格納されたデバイスの各サーバ・データベース携帯電話ユーザーが、着信コールがモバイルユーザーに送信されます。呼び出し側の着信コールは、最終的にアクティブになります。
【００６６】
1.D）手段の遮断する不要な音声SMSを
任意の通信機器の発信者がしようとするたびに、移動時間を有する者連絡音声の設備のandsetをSMSコード比較器を用いて受信されたコールのいずれかの通信機器の数及び/又は単語比較不要番号及び/又は単語をそれは、メモリ内の携帯電話機のユーザーによって保存されているデバイスの音声SMSのサーバデータベース。
【００６７】
携帯電話端末の一般的な使用では何もする施設はありません保存し、不要な番号及び/または携帯電話ハンドセットのユーザーが指定した単語の音声SMSのサーバデータベースが。
【００６８】
するために、Tを組み込む彼の機能ブロック不要な音声SMS任意の発信者からを格納するために他の構成を実現するための緊急に必要とされている不要なメモリの番号及び/又は単語をデバイスの音声SMSのサーバデータベースのユーザによって指定されるようにまた、携帯電話端末と比較するために、不要なのコードの比較子内の数値および/または単語の音声のSMSサーバーのデータベースをし、ブロックするために、音声、SMS、モバイルユーザーに送信されます。
【００６９】
番号は、携帯することができ、電話番号、電話番号、固定無線電話番号ようにと。番号は、携帯することができ、電話番号、電話番号、固定無線電話番号の音声SMS。数字および/または単語がようにSMS、電話とのメッセージとすることができます。数字および/または単語は任意のキーワードをすることができます。
【００７０】
発呼者が試みると、メッセージを送信するオプション音声は、SMS番号、および/または発信者の言葉は、符号比較器でその時点で比較されている音声のSMSサーバーデータベース。発信者の番号及び/又はワードが指定され、メモリに格納された数値及び/又は単語の同じ見つかった場合、デバイスの音声SMSのサーバデータベース携帯電話ユーザによっては、によって送信されたメッセージの音声SMSが遮断されます。メッセージ、音声、SMS、呼び出し元のは、最終的には死んだになります。発信者の番号及び/又はワードは、メモリに指定され、格納された数値及び/又は単語の同じ見つからない場合デバイスの音声SMSのサーバデータベース携帯電話ユーザによっては、によって送信されるメッセージ、音声SMSは、モバイルユーザに送信されます。メッセージ、音声、SMS、呼び出し元のは、最終的にアクティブになります。
【００７１】
1.E）oを意味し、Fブロックし、不要な音声MMSを
任意の電気通信機器の呼び出し側がしようとするときはいつでも声の施設で携帯電話を持っている人に連絡MMSコードの比較演算をして、受信した呼の任意の電気通信機器の数および/または語句を比較不要な数字および/または単語をその携帯電話用ののユーザーによって保存されているメモリ内のNEハンドセットデバイス音声MMS用のサーバーのデータベース。
【００７２】
携帯電話端末の一般的な使用では何もする施設はありません保存し、不要な番号及び/または携帯電話ハンドセットのユーザーが指定した単語音声のMMSサーバーのデータベースが。
【００７３】
するために、この機能組み込むブロッキング不要な音声MMSFROMにすべての呼び出し元を格納するために他の構成を実現するための緊急に必要とされている不要なメモリの番号及び/又は単語をデバイスの音声のMMSサーバーのデータベースのユーザによって指定されるようにまた、携帯電話端末と比較するために、不要なのコードの比較子内の数値および/または単語の音声のMMSサーバーのデータベースをし、ブロックするために、音声MMS、モバイルユーザーに送信されます。
【００７４】
T彼の数字は、携帯することができ、電話番号、電話番号、固定無線電話番号ようにと。番号は、携帯することができ、電話番号、電話番号、固定無線電話番号の声MMS。数字および/またはc単語のBEメッセージようにSMS、電話と。数字および/または単語は任意のキーワードをすることができます。
【００７５】
発呼者が試みると、メッセージを送信するオプション音声は、MMS番号及び/または発信者の言葉は、符号比較器でその時点で比較されている音声のMMSサーバーのデータベース。発信者の番号及び/又は単語を指定してメモリに格納された数値及び/又は単語の同じ見つかった場合、デバイスの音声のMMSサーバデータベース携帯電話ユーザによって送信されたメッセージによって、MMS、音声遮断されます。メッセージの音声MMS、呼び出し元のは、最終的には死んだになります。発信者の番号及び/又はワードは、メモリ内に指定され、格納された数値及び/又は単語の同じ見つからない場合、デバイス声MMSサーバーのデータベース、携帯電話の利用者によって、によって送信されたメッセージの音声MMSは、モバイルユーザーに送信されます。メッセージの音声MMS、呼び出し元のは、最終的にアクティブになります。
【００７６】
2.本発明は、提供手段の遮断する不要なSMS、MMS、Eメール、電話、音声、SMS、音声MMS、ファックス、ボイスメールをそして他のモードの通信にMoの胆汁電話ヘクタールのndset、固定無線電話および他の携帯電話。
【００７７】
T彼は、ユーザーが格納不要な番号及び/またはSMSの言葉、MMS、Eメール、電話、音声、SMS、音声MMS、ファックス、ボイスメールなどのメモリ内デバイス、携帯電話端末の、固定無線電話をし、他の無線電話のオプションを使用して-「メニュー」。
【００７８】
保存するためには、不要な番号及び/またはSMSの言葉、MMS、Eメール、電話、音声、SMS、音声MMS、ファックス、ボイスメールなどを、ユーザーが固定、携帯電話機のメニューを選択し、携帯電話や他の携帯電話は、例えば-メッセージメニューは、ユーザーによって開かれます。メッセージメニューは、サブメニューを持っている-例えば、「ブロック不要な番号および/または言葉」-すなわちを。不要な数字および/またはSMSの言葉、MMS、その上のEメール、電話、音声、SMS、MMS、音声、ファックス、ボイスメールと。ユーザーは、オプションのサブメニューを選択し、入力する不要なの数字および/またはSMSの言葉、MMS、その上のEメール、電話、音声、SMS、MMS、音声、ファックス、ボイスメールと。ユーザーは複数入力することができ、不要なので、上の数字および/またはSMS、MMS、Eメール、電話、音声、SMS、MMS、音声、ファックス、ボイスメールの単語をし、サブメニューに。不要な数字および/またはSMS、MMS、Eメール、電話、音声、SMS、音声MMS、ファックス、ボイスメールの言葉とその上でそのサブメニューに入力され、メモリに格納されているデバイスのモバイルの携帯電話、固定電話の受話器、および他の無線電話。不要な数字および/またはSMSの言葉、MMS、その上のEメール、電話、音声、SMS、MMS、音声、ファックス、ボイスメール、ユーザーが変更されるまで、サブメニューに変更されないまま保存されている不要な数字および/またはSMS、MMS、Eメール、電話、音声、SMS、音声MMS、ファックス、ボイスメールの言葉をので、上のようですすでにサブメニューに保存されています。また、ユーザーは削除することができ、不要な番号及び/またはSMS、MMS、Eメール、電話、音声、SMS、音声MMS、ファックス、ボイスメールなどの言葉であることALRメモリに保存されているeadyデバイスのモバイルを携帯電話、固定電話の受話器、および他の無線電話。SECUのRのITYコードまたはロックコードを保護するために設けられている不要に数字および/またはSMSの言葉、MMS、Eメール、電話、音声、SMS、音声MMS、ファックス、ボイスメールなど携帯電話機のサブメニューに格納されている、固定無線電話及びその他の無線電話。カウンタは、メッセージ（すなわちSMS、MMSなどの数カウントするために提供される）送信され、受信され、携帯電話機、固定無線電話で削除し、他の無線電話。また、別のカウンタが送信されるメッセージの持続時間を計算するために設けられている、携帯電話端末、固定無線電話で受信し、他の無線電話。
【００７９】
n個のEコード比較器と、前記符号比較子を含むlectronic装置は、CPU（CentralProcessingUnit：中央処理装置に接続されており、コード比較器を携帯電話内のCPUによって操作されるとしてコード比較器が操作されたと言われている私はntegratedCの低消費電力内で腰を携帯電話のバッテリーと統合チップの低消費電力の動作から得られたコードの消費電力を節約するために非常に長い時間と集積チップの低消費電力の動作のために連続したコードの比較演算の機能を動作されています携帯電話での比較子。コードの比較演算子が比較の数字および/または単語を受信SMS、MMS、Eメール、電話、音声、SMS、音声MMS、ファックス、ボイスメールなどの上で、送信者が送信され、不要なSMS、MMS、Eメールの数および/または言葉、電話、音声、SMS、MMS、音声、ファックス、ボイスメールなどは、既にメモリに格納されているデバイスのユーザによって入力されます。
【００８０】
数字はCAN携帯電話番号、電話こと番号、固定されたように、無線電話番号と。番号は、携帯することができ、電話番号、電話番号、固定無線電話番号SMS、MMS、電話の通話、音声、SMS、MMS、音声、ファックス、ボイスメール。数字および/または単語は電子メールIDすることができます。数字および/または単語はSMS、MMS、Eメール、電話、のメッセージとすることができる音声SMS、音声MMS、その上、ファックス、ボイスメールと。数字および/または単語は任意のキーワードをすることができます。
【００８１】
Tコードを含むデバイスを動作させるために必要な彼電源が比較rはパームオペレーティングシステムベースの携帯電話を含む携帯電話端末、固定無線電話および他の携帯電話では、Windowsオペレーティングシステムベースのモバイルスマートフォンは、の電池から得られます。携帯電話端末、固定無線電話及びその他のヤシのオペレーティングシステムベースの携帯電話を含む無線電話、operatin窓携帯スマートフォンをベースグラムシステム。
【００８２】
2.A）の手段阻止する不要なSMS、MMS、ファックス、Eメールを
時の、着信メッセージすなわち。数字および/または着信SMSの言葉、MMS、ファックス、Eメールが受信された携帯電話端末では、携帯電話、固定および他の携帯電話を、コードの比較子は、数字および/またはの言葉と比較受信SMS、MMSを、のリストをファックス、Eメール、不要な数字および/またはSMS、MMS、ファックス、Eメールの言葉すでに保存されているメモリデバイスの携帯電話端末、固定無線電話および他の携帯電話。符号比較器で比較される数および/または単語が同じであれば、受信したSMSの数及び/又は単語、MMS、ファックス、Eメールがで削除された受信セット。符号比較器で比較数値及び/又は単語が異なる場合には、数字及び/又は受信されたSMSの言葉は、MMS、ファックス、Eメールはの表示画面に表示され、受信セット。ユーザーが受信したSMS、MMS、ファックス、Eメールのアラートトーンを活性化した場合、音がで聞くことができますユーザー。
【００８３】
2.B）を用いブロッキング不要な着信電話コールを
ユーザーは、内の特定の着信電話避けることを決定した携帯電話端末、固定無線電話および他の携帯電話を。その結果、ユーザは、携帯電話端末には、適切な施設、固定無線電話がありませんし、他の携帯電話ユーザーは避けたい番号にに関するものであっ着信コールをブロックするが。そうブロックする適切な機能を組み込むために、不要な固定無線電話、携帯電話端末に着信コールをし、他の携帯電話ユーザの。
【００８４】
モバイルで受信電話の着信時に電話機、固定無線電話および他の携帯電話、コード比較器は、のリストを受信した着信コールの数を比較し、不要な既に格納されている数字のメモリデバイスの携帯電話携帯電話、固定無線電話および他の携帯電話。符号比較器で比較される数が同じであれば、受信した着信呼の数がで禁止されている受信セット。符号比較器で比較される数が異なる場合は、受信した着信コールの数は、表示画面に表示された受信セット。ユーザーが受信した着信コールのアラートトーンを活性化した場合、トーンは、ユーザが聞くことができます。
【００８５】
2.C）の手段のブロッキング不要なボイス・メールを
利用者は、携帯電話で特定のボイスメールをブロックすることを決定した携帯電話、固定無線電話および他の携帯電話。その結果、ユーザが携帯電話端末には、適切な施設を持っていない、固定無線電話および他の携帯電話のボイスメールをブロックするには、数字にに関するものであっ及び/または言葉ユーザーは避けたいです。だから、阻止するために、適切な施設を組み込むために、不要な携帯電話端末でのボイスメール、固定無線電話や他の携帯電話ユーザーを。
【００８６】
モバイルで受信された着信音声メールの時間に無線電話、固定電話端末、および他の無線電話、コード比較器は、数を比較Sおよび/または単語のリストを受信したボイスメールの不要な数及び/又は単語をこれは既に格納されているメモリデバイスの無線電話と固定携帯電話機、その他の携帯電話。数字場合及び/又は単語コード比較器で比較されているのと同じであり、その後の数及び/又は単語受信した音声メールをで削除された受信セット。数字の場合及び/又は単語コード比較例とで比較されるERは異なって、次に受信した音声メールはの表示画面に表示された受信Sら。ユーザーが受信した音声メールのアラートトーンを活性化した場合、トーンは、ユーザが聞くことができます。
【００８７】
2.D）の手段遮断する不要な音声SMSを
ユーザが決定する特定の音声ブロックにSMS携帯電話端末において、固定無線電話や他の無線電話。その結果、ユーザが携帯電話端末には、適切な施設を持っていない、固定無線電話及びその他の無線電話ブロックする音声SMSは、番号にに関するものであっ及び/または言葉ユーザーは避けたいです。だから、阻止するために、適切な施設を組み込むために、不要な音声SMSで携帯電話端末、固定無線電話および他の携帯電話のユーザのを。
で着信時音声SMSモバイルで受信された無線電話および固定電話ハンドセット、他の無線電話、コード比較器は、数を比較S及び/又は単語受信の音声SMSのリストを不要な数値及び/又は単語をこれは既に格納されているメモリデバイスの無線電話と固定携帯電話機、その他の携帯電話。数字場合及び/又は単語コード比較器で比較されているのと同じであり、その後数S及び/又は単語受信の音声SMSで削除された受信セット。数字場合及び/又は単語コード比較器で比較される異なる、受信した音声SMSは、表示画面に表示され、受信セット。利用者は、受信のアラートトーンを活性化した場合、音声SMSを、トーンは、ユーザが聞くことができます。
【００８８】
2.E）の手段遮断する不要な音声MMSを
ユーザは、Tを決定O中の特定の音声MMSをブロック携帯電話端末、固定無線電話および他の携帯電話。その結果、ユーザは、携帯電話端末には、適切な施設、固定無線電話と持っていない他の無線電話ブロックするMMSは音声番号にに関するものであっ及び/または言葉ユーザーは避けたいです。だから、阻止するために、適切な施設を組み込むために、不要な音声MMSにおける携帯電話端末、固定無線電話および他の携帯電話のユーザーを。
【００８９】
着信音声MMS時にモバイルで受信された無線電話および固定電話ハンドセット、他の無線電話、コード比較器は、数を比較S及び/又は単語受信の音声MMSのリストと、不要な番号及び/又は単語をこれは既に格納されているメモリデバイスの無線電話と固定携帯電話機、その他の携帯電話。数字場合及び/又は単語コード比較器で比較されているのと同じであり、その後数S及び/又は単語受信の音声MMSはで削除され受信設定。数字場合及び/又は単語コード比較器で比較される異なる、受信した音声MMSは、表示画面に表示され、受信セット。利用者は、受信のアラートトーンを活性化した場合の音声MMSを、トーンは、ユーザが聞くことができます。
【００９０】
（II）ティの発明は、受信する手段を提供指名手配、SMS、MMS、Eメール、電話を
音声SMS、MMS、音声、ファックス、ボイスメールやその他の通信モード：
1）サーバーでのデータベースのSMSサービスのセンター、MMSサービスセンター
そして、他の通信サービスセンター
2）携帯電話端末では、固定無線電話及びその他の無線電話。
【００９１】
1.本発明は、手段を提供受けたかったSMS、MMS、Eメール、電話、音声、SMS、音声MMS、ファックス、音声はメール通信のND他のモードでのサーバのデータベースのSMSのサービスセンターを、MMSのサービスセンターそして、他の通信サービスセンター
1.A）の手段の受信希望SMS、MMS、Eメール、ファックスを
モバイルユーザーが送信することができ、希望の番号及び/またはの言葉サーバに携帯電話、固定無線電話および他の携帯電話からSMSまたは任意の他の適切な設定を使用してSMS、MMS、Eメール、ファックスをデータベースSMSサービスのセンター、MMSサービスセンタと他の通信サービスセンタrespeを介してCTIVEモバイル・サービス・プロバイダ。モバイルユーザーは、複数の送信できるサーバーにSMS、MMS、Eメール、携帯電話からファックス、固定無線電話および他の携帯電話の望んでいた番号および/または単語をデータベースSMSサービスのセンター、MMSサービスセンターと他のCOMMunicationサービスセンター。希望の番号及び/または送信されたSMS、MMS、Eメール、ファックスの言葉は、サーバで変更されないままデータベースSMSサービスのセンター、MMSサービスセンターや他の通信サービスセンター私たちは、モバイルまで、えー、既に保存されて変化たかったです数字および/またはSMS、MMS、Eメール、ファックスの言葉。SMSサービスセンター、MMSサービスセンターおよびその他のコミュニカのションサービスセンターは、送信希望番号および/またはSMSの言葉、MMS、サーバへのEメール、ファックスをデータベースのSMS、MMSなど。そうして数字および/またはSMS、MMS、Eメール、ファックスの言葉を望んでいたがメモリに格納されているそれぞれのサーバーのデータベースのデバイス。
【００９２】
SMS、MMS、Eメール、ファックスメッセージの受信機は、数字および/または送信者によって送信され、受信SMS、MMS、Eメール、ファックスの言葉を受けます。送信者は、既知または未知の人にSMS、MMS、Eメール、ファックスを送信者をいいます。そして、数字および/または着信SMSの言葉は、MMS、Eメール、ファックスは、コードの共同のに送られ、それぞれのサーバデータベースのmparer。コードはComparerは比較数値および/または着信SMS、MMS、Eメール、Fの言葉で、送信者が送信された斧をしている指名手配番号および/またはSMSの言葉、MMS、Eメール、ファックス、既にメモリに格納されたデバイス、携帯電話、固定無線電話および他の携帯電話から送信され、モバイルユーザによって。ザ・数字を望んでいた、および/またはモバイルユーザーによってSMS、MMS、Eメール、携帯電話から送られたファックス、固定無線電話および他の携帯電話の言葉は、コードはComparerメモリに格納されているデバイス。
【００９３】
番号は、携帯することができ、電話番号、電話番号、固定無線電話ように番号と。番号は、携帯することができ、電話番号、電話番号、固定無線電話番号SMS、MMSの、電話、ファックス。数字および/または単語は電子メールIDすることができます。数字および/または単語はSMS、MMS、Eメール、ファックスのメッセージとすることができます。数字および/または単語は任意のキーワードをすることができます。
【００９４】
符号比較器と、前記コードを含む電子機器比較演算は、CPU（CentralProcessingUnit）に接続されており、コード比較器は、SMSのサーバデータベースにCPUによって操作されると言われているMMS等、及びでコード比較器が操作され、前記iがntegratedCを電池及び/又は外部電源SMSのサーバデータベース内から得られた低消費電力内ヒップMMS等、及び集積チップの低電力消費の動作は非常に長い時間のために前記コード比較器の機能連続的に動作していますおよび集積チップの低消費電力化の操作は、サーバーSMSのデータベース、で述べてコードコンペアラーの消費電力を節約するためにMMSなど、。コードを含むデバイスを動作させるために必要な電源は、SMSサービスのサーバのデータベースに比較中心、MMSサービスセンタと他の通信サービスセンタGPRSサポートノードサービング含む（SGSNに）、モバイルサービスは、スイッチングセンター（MSC）、Eメールを、電話、音声、SMS、MMS、音声、ファックス、ボイスメールは、外部電源から得られます。外部電源がバッテリーであることを特徴とします。
【００９５】
数字及び/又はコード比較器で比較された単語が同じであれば、ある「デリバリー」、着信SMSのその後数及び/又は単語、MMS、電子メール、ファックスを各番号に送信され、メッセージ送信者に送信。コードコンペアラーで比較される数字および/または単語が異なる場合は、その後、数字および/または着信SMSの言葉は、MMS、Eメール、ファックスはブロックされたり、それぞれのサーバーで削除されたデータベース、メッセージを「未「送信者に送信されるために配信。T彼は、モバイルユーザーが削除することができ、希望の番号及び/またはWORのSMS、MMS、のDS既にメモリに格納されているEメール、ファックスデバイスサーバのデータベースSMSサービスのを中央、MMSサービスセンターおよびその他のcommuniカチオンサービスセンター、そして送信者WHIから受信される番号および/または着信SMSの言葉、MMS、Eメール、ファックスCHを除去したことに関連しては、数字および/または単語を望んでいましたメモリ内SMS、MMS、Eメール、ファックスのデバイスサーバのデータベースSMSサービスのセンター、MMSサービスセンターや他の通信サービスセンターは、モバイルユーザーに送信することができます。すべてモービルEユーザーが受信する施設あり、それぞれのモバイルサービスプロバイダの希望番号および/または単語を。
【００９６】
サーバーはSMGMSCとに統合されているCのODEのComparer。ザサーバーのデータベースはし適切に設計されて受け入れ番号および/または着信SMS、MMS、の言葉たかったEメールは、Arファックスeは、送信者から受信します。含むデバイスCODEComparerは、数字及び/又は着信SMS、MMS、の単語比較するため適切に設計されて、既に格納された電子メール、ファックスたかった数字及び/又はSMSの単語、MMS、電子メールを、メモリ内のファックス装置、サーバのデータベースSMSサービスの中心、MMSサービスセンタと他の通信サービス。メモリデバイスは、膨大な数及び/又は単語を格納するために適切に設計されています。
【００９７】
また、モバイルユーザーがしたい場合、受信者はまた、顧客ケア事業者やネットワークオペレータに連絡することができます数字および/または言葉たかったとを知らせる希望受信SMS、MMSや他の通信方式の番号および/または単語を。
【００９８】
接触と関連ネットワークオペレータに渡された情報に応答して所望の受信数および/またはSMS、MMS、ネットワークオペレータがDIRができるモバイルユーザの通信の他のモードの言葉のエントリ入力ectlyたかっを数字および/またはSの言葉ようにMS、MMSサーバー・データベースへの各サービスの中央すなわち。SMSサービスセンター、MMSサービスセンターなど。
【００９９】
また、ネットワークオペレータは、ENTできるERつ以上のエントリそれぞれのサーバへのように望んでいた数字および/またはSMS、MMSの言葉やデータベースを。
【０１００】
また、NEのtwork演算子は、削除することができ、すでにそれぞれのSMSサーバーに格納されており、希望の番号及び/またはSMS、MMSの言葉とその上のデータベース、MMSサーバーのデータベースなどを。
【０１０１】
さらに、着信SMSの数及び/又は単語は、MMS受け付けされたSOおよびサーバにデータベースの各サービスセンターができ、モバイルに送信されたユーザ。所望の数および/または単語が格納されているのEから除去することができ、各サーバーデータベースのntriesネットワークオペレータにモバイルユーザの指示によって。バ指名手配の除去に編数字および/または言葉なので、上の数字および/または着信SMS、MMSの言葉とはできないに送信され、モバイルユーザー。
【０１０２】
1.B）の手段受けたかったボイスメールを
任意の電気通信機器の呼び出し側がしようとするたびにボイスメールボックスの機能を持つ携帯電話を持っている人に連絡し、コード比較演算は、数字を比較し、および/または任意の電気通信機器の言葉呼び出しのはで受信希望番号および/または言葉それは、メモリ内の携帯電話機のユーザーによって保存されているデバイスのボイスメールサーバのデータベース。
【０１０３】
携帯電話端末の一般的な使用では何もする施設はありません保存し、希望の番号及び/またはボイスメールサーバにおける携帯電話機のユーザーが指定した単語データベースが。
【０１０４】
この機能を組み込むためにの希望受信音声の任意の発信者からのメールをOT実装するため緊急に必要がある保存するために彼女の手配をメモリに希望番号および/または単語をデバイスボイスメールサーバのデータベースのユーザーによって指定されているように携帯電話ヘクタールもndsetと比較するため番目のコード値比較で希望の数字および/または単語Eボイスメールサーバのデータベースをして受け入れるようにモバイルユーザーに送信されたボイスメールメッセージを。
【０１０５】
番号は、携帯することができ、電話番号、電話番号、固定無線電話番号ようにと。番号は、携帯することができ、電話番号、電話番号、固定無線電話番号、ボイスメールの。数字および/または単語はのメッセージとすることができるようにSMS、電話と。数字および/または単語は任意のキーワードをすることができます。
【０１０６】
発信者が音声によってメッセージを送信するオプションをしようとしたときの数値及び/又は発呼者の単語がボイスメールサーバーのコード値比較においてその時点で比較されているメールデータベース。発信者の番号及び/又は単語があればされるのと同じ見出さ指定されたメモリに格納された数値及び/又は単語デバイスボイスメールサーバのデータベース携帯電話ユーザによって、音声メールボックスによって送信されたメッセージが送信されモバイルユーザへ。呼び出し側のボイスメールによるメッセージは、最終的にアクティブになります。発信者の番号及び/又は単語があればされ、メモリ内に指定され、格納された数値及び/又は単語の同じ見つからないデバイスボイスメールサーバのデータベース、携帯電話の利用者によって、ボイスメールボックスが送信したメッセージがブロックされています。呼び出し側のボイスメールによるメッセージは、最終的には死んなります。
【０１０７】
1.C）を意味し用受信たかったの着信電話を
任意の電気通信機器の呼び出し側がしようとするたび者に連絡し、コードの比較演算は、任意の電気通信機器の数と比較して、受信した呼のメモリにおける携帯電話端末のユーザーによって保存された希望番号のデバイスのそれぞれのサーバーのデータベースを。
【０１０８】
携帯電話端末の一般的な使用では何もする施設はありません保存し、各サーバにおける携帯電話機の利用者が指定した希望番号のデータベースを。
【０１０９】
TO組み込むのこの機能受信oを実現するための緊急に必要がある任意の発信者からの所望の着信Wを格納するTHER構成は、メモリ内の数字antedデバイスそれぞれのサーバーのデータベースを、携帯電話のHAのユーザによって指定さndsetまた、比較するために、各サーバーのコード値比較に望んでいた番号をデータベースとして受け入れるモバイルユーザに送信される着信コールを。
【０１１０】
番号は、携帯することができ、電話番号、電話番号、固定無線電話番号ようにと。数字は任意のキーワードをすることができます。
【０１１１】
発呼者がコールのオプションを試みる場合、発信者の番号は、各サーバのコード値比較においてその時点で比較されているデータベース。発信者の番号が指定された数と、メモリに格納されているのと同じ見つかった場合、デバイスそれぞれのサーバのデータベース携帯電話ユーザによって、着信呼は、モバイルユーザに送信されます。呼び出し側の着信コールは、最終的にアクティブになります。発信者の番号が指定され、メモリに格納された番号の同じ見つからなかった場合、デバイスの各サーバ・データベースによって携帯電話のユーザ、着信コールがブロックされています。呼び出し側の着信コールは、最終的には死んなります。
【０１１２】
1.D）の受信手段たかった声SMSを
任意の電気通信機器の呼び出し側がしようとするときはいつでも声の施設で携帯電話を持っている人に連絡し、コード値比較は比較SMS任意の電気通信機器の番号および/または言葉で受信コールの希望番号および/または単語をそのメモリ内の携帯電話機のユーザーによって保存されているデバイスの音声、SMSサーバーのデータベース。
【０１１３】
携帯電話端末の一般的な使用では何もする施設はありません保存し、希望の番号及び/または音声SMSサーバにおける携帯電話機のユーザーが指定した単語データベースが。
【０１１４】
この機能を組み込むためには、希望の受信音声任意の発信者からのSMSをOT実装するため緊急に必要がある保存するために彼女の手配をメモリに希望番号および/または単語を、デバイスの音声、SMSサーバーのデータベースのユーザーによって指定されているように携帯電話ヘクタール比較することもndsetとトンのコードコンペアラーに希望の番号及び/または言葉を彼がSMSサーバーの音声データベースをして受け入れるようにモバイルユーザーに送信される音声SMSを。
【０１１５】
番号は、携帯することができ、電話番号、電話番号、固定無線電話番号ようにと。番号は、携帯することができ、電話番号、電話番号、固定無線電話番号、音声SMSの。数字および/または単語がようにSMS、電話とのメッセージとすることができます。数字および/または単語は任意のキーワードをすることができます。
【０１１６】
発呼者が試みると音声でメッセージを送信するオプションが番号をSMSおよび/または発信者の言葉は、音声SMSサーバのコード値比較においてその時点で比較されているデータベース。発信者の番号及び/又はワードが指定され、メモリに格納された数値及び/又は単語の同じ見つかった場合、デバイス、音声SMSサーバのデータベース携帯電話ユーザによって、音声SMSによって送信されたメッセージがに送信されモバイルユーザ。呼び出し側のボイスSMSによるメッセージは、最終的にアクティブになります。発信者の番号及び/又はワードは、メモリ内に指定され、格納された数値及び/又は単語の同じ見つからない場合、デバイス、音声SMSサーバーのデータベース携帯電話のユーザーが、音声SMSで送信されたメッセージがブロックされています。呼び出し側のボイスSMSによるメッセージは、最終的には死んなります。
【０１１７】
1.E）の受信手段たかった声MMSを
いずれかの呼び出し側たび私は、通信しようとする試みをnstrument声の施設で携帯電話を持っている人に連絡するには、コードの比較子が任意の電気通信機器の番号および/または単語と比較MMSを受信した呼の望んでいた数字および/または単語をそれは、メモリ内の携帯電話機のユーザーによって保存されているデバイスの音声MMSサーバーのデータベース。
【０１１８】
一般的な用途では、携帯電話のハンドセットに何の機能はありません保存し、希望の番号及び/または音声MMSサーバにおける携帯電話機のユーザーが指定した単語データベースが。
【０１１９】
この機能組み込むためには、Receiving任意の発信者からの希望音声MMSをOT実装するため緊急に必要がある保存するために彼女の手配をメモリに指名手配番号および/または単語をデバイス音声MMSサーバーのデータベースユーザーが指定したように携帯電話ヘクタールのndsetとも比較する音声MMSサーバーのコード値比較で希望の数字および/または単語をデータベースとして受け入れるモバイルユーザに送信される音声MMSを。
【０１２０】
番号は、携帯することができ、電話番号、電話番号、固定無線電話番号ようにと。番号は、携帯することができ、電話番号、電話番号、固定無線電話番号音声MMSの。数字および/または単語がようにSMS、電話とのメッセージとすることができます。数字および/または単語は任意のキーワードをすることができます。
【０１２１】
発呼者が試みると音声でメッセージを送信するオプションは、数字をMMS及び/又は発呼者の言葉は、音声MMSサーバーのコード値比較においてその時点で比較されているデータベース。発信者の番号及び/又は単語を指定してメモリに格納された数値及び/又は単語の同じ見つかった場合、デバイス音声MMSサーバーのデータベース携帯電話ユーザによってMMSがに送信される音声によって送信されたメッセージモバイルユーザ。呼び出し側の音声MMSによるメッセージは、最終的にアクティブになります。発信者の番号及び/又はワードは、メモリ内に指定され、格納された数値及び/又は単語の同じ見つからなかった場合、デバイス音声MMSサーバーのデータベース携帯電話のユーザーが、音声MMSで送信されたメッセージがブロックされています。呼び出し側の音声MMSによるメッセージは、最終的には死んなります。
【０１２２】
2.この発明は、手段提供の受信希望SMS、MMS、Eメール、電話、音声、SMS、音声MMS、ファックス、ボイスメールや他のモード携帯電話端末での通信、固定無線電話および他の無線電話を。
【０１２３】
ユーザーストアは、番号および/またはSMSの言葉、望んでいたMMS、Eメール、電話、音声、SMS、音声MMS、ファックス、ボイスメールなどのメモリ内デバイス、携帯電話端末の、固定無線電話及びその他の「メニュー」-オプションを使用して携帯電話。
【０１２４】
保存するためには、希望の番号及び/またはSMSの言葉、MMS、Eメール、電話、音声、SMS、音声MMS、ファックス、ボイスメールなどを、ユーザーが固定、携帯電話機のメニューを選択し、例えば携帯電話や他の携帯電話、-メッセージメニューは、ユーザーによって開かれます。メッセージメニューヘクタールのサブメニュー-たとえばは「Wレシーブすなわち-番号および/または言葉をanted」。望んでいたように数字および/またはSMS、MMS、Eメール、電話、音声、SMS、MMS、音声、ファックス、ボイスメールの言葉とを。ユーザーは、オプションのサブメニューを選択し、入力し、希望の番号及び/またはSMSの言葉、MMS、その上のEメール、電話、音声、SMS、MMS、音声、ファックス、ボイスメールとを。ユーザは、1つ以上のものを入力することができます数字および/またはSMS、MMS、Eメール、電話、音声、SMS、MMS、音声、ファックスの言葉は、ボイスメールたかったサブメニューにようにNDを。希望の番号及び/またはSMSの言葉、MMS、Eメール、電話、音声、SMS、音声MMS、ファックス、ボイスメールなどのサブメニューに入力されているのは、メモリに格納されているデバイスのモバイルの携帯電話と固定電話の受話器、他の無線電話。希望の番号及び/またはSMSの言葉、MMS、Eメール、電話、音声、SMS、音声MMS、ファックス、ボイスメールとなるように保存されているが、サブメンに変更されないまま、ユーザが変更されるまで、U数字および/またはSMSの言葉、MMS、Eメール、電話、音声、SMS、MMS、音声、ファックス、ボイスメールなどたかっ既に保存されていますサブメニュー。また、ユーザーは削除することができ、希望の番号及び/またはSMSの言葉、MMS、Eメール、電話、音声、SMS、音声MMS、ファックス、ボイスメール、既にされているので、上のメモリに保存されているのデバイス、携帯電話を携帯電話、固定無線電話および他の携帯電話。SECUのRのITYコードまたはロックコドを保護するために設けられている希望番号および/またはSMS、MMS、Eメール、電話、音声、SMS、音声MMS、ファックス、ボイスメールの言葉となるようにに格納されているが携帯電話機のサブメニューは、携帯電話や他の携帯電話を固定しました。カウンタがするように設けられているメッセージの数がカウント（すなわち。SMS、MMSをなど）それが送信され、携帯電話端末、固定無線電話および他の携帯電話で受信し、削除。また、別のカウンタが送信されるメッセージの持続時間を計算するために設けられている、携帯電話端末、固定無線電話とで受信した他の携帯電話。
【０１２５】
符号比較器と、前記符号比較子を含む電子デバイスは、CPUに接続されている（中央処理装置）と、コード比較器を携帯電話内のCPUによって操作されると、コード比較器をから得られた低消費電力内で集積チップで動作されます携帯電話との統合チップの低消費電力の動作のバッテリーは連続したコードは非常に長い時間のための比較子とで語っコードコンペアラーの消費電力を節約するために統合されたチップの低消費電力の動作の機能を操作しています携帯電話。コードの比較演算は、数字および/またはの言葉と比較受信SMS、MMS、Eメール、電話、音声、SMS、MMS、音声、ファックス、ボイスメールをそしてその上で、送信者によって送信されたSMS、MMS、Eメール、電話、音声、SMS、音声の希望番号および/または言葉MMS、ファックス、ボイスメールなど、既にメモリに格納されているデバイスこれは、ユーザによって入力されます。
【０１２６】
T彼の数字は、携帯電話番号、電話番号、固定することができるように携帯電話の番号と。数字は、携帯電話番号、電話番号、SMS、MMS、電話、音声、SMS、MMS、音声、ファックス、ボイスメールの固定無線電話番号を指定できます。数字および/または単語は電子メールIDすることができます。数字および/または単語がようにSMS、MMS、Eメール、電話、音声、SMS、MMS、音声、ファックス、ボイスメールとのメッセージとすることができます。数字および/または単語は任意のキーワードをすることができます。
【０１２７】
コードを含むデバイスの動作に必要な電源は、携帯電話機にパームオペレーティングシステムベースの携帯電話、携帯スマートフォンベースのWindowsオペレーティングシステムは、携帯電話の電池から得られる含む固定無線電話および他の無線電話を比較しますヤシのオペレーティングシステムベースの携帯電話、携帯、スマートフォンをベースのWindowsオペレーティングシステムが含まれて携帯電話、固定無線電話および他の無線電話。
【０１２８】
2.A）の受信手段指名手配SMS、MMS、ファックス、Eメールを
受信メッセージのすなわちの時。数字および/またはの言葉の着信、SMS、MMS、ファックス、Eメールは、携帯電話端末で受信され、携帯電話や他の携帯電話を固定し、コードの比較子は、数字および/またはの言葉と比較受信SMS、MMSを、のリストをファックス、Eメールたかった数字および/またはSMS、MMS、ファックス、Eメールの言葉すでに保存されているメモリデバイスの携帯電話端末、固定無線電話および他の無線電話。比較で数及び/又は単語場合、コード比較器Dが同じで、受信したSMSの数及び/又は単語、MMS、ファックス、Eメールは、受信セットの表示画面に示されています。ユーザーが受信したSMS、MMS、ファックス、Eメールのアラートトーンを活性化した場合、トーンは、ユーザが聞くことができます。符号比較器で比較される数および/または単語が異なる場合、次に数字及び/又は受信されたSMSの言葉は、MMS、ファックス、Eメールは、受信セットで削除されます。
【０１２９】
2。B）の受信手段たかったの着信電話を
ユーザがすることを決定し、特定の受信中の着信電話携帯電話端末、固定無線電話および他の無線電話。これにより、ユーザは、携帯電話ハンドセットには適切な施設、固定無線電話および他の携帯電話持っていない受信無感覚にに関するものであっ着信コールをユーザが受け入れたいERS。だから、中にするために、適切な施設を組み込むための受信携帯電話端末で希望の着信コール、固定無線電話とユーザーの他の無線電話を。
【０１３０】
モバイルで受信電話の着信時に電話機、固定無線電話および他の無線電話、コード比較器は、受信された着信の数を比較のリストを呼び出しを既に格納されたかった番号のメモリデバイスの携帯電話携帯電話、固定無線電話および他の無線電話。符号比較器で比較される数が同じであれば、受信した着信コールの数は、受信セットの表示画面に示されています。ユーザーが受信した着信コールのアラートトーンを活性化した場合、トーンは、ユーザが聞くことができます。符号比較器で比較すると数値が異なります、受信した着信呼の数は、受信セットで禁止されています。
【０１３１】
2.C）の手段の受信希望ボイスメールを
ユーザーが決定するために受信、携帯電話端末、固定無線電話および他の携帯電話で特定のボイスメールを。その結果、ユーザは、携帯電話の受話器には、適切な施設、固定無線電話および他の携帯電話持っていない受信番号にに関するものであったボイスメールをおよび/または言葉ユーザーがしたい受け入れます。そうするために、適切な施設を組み込むためにで指名手配ボイスメール受信携帯電話端末、固定無線電話および他の携帯電話のユーザーを。
【０１３２】
携帯で受信された着信音声メールの時には携帯電話や他の携帯電話を固定電話の受話器、コードの比較子は数比較し、Sおよび/または言葉受信の一覧でボイスメールを望んでいた数字および/または言葉これは、既に格納されているメモリデバイスの、携帯電話機、無線電話機やその他の携帯電話を固定しました。数字場合及び/又は単語コード比較器で比較されているのと同じであり、受信したボイスメールは、受信セットの表示画面に示されています。ユーザーが受信した音声メールのアラートトーンを活性化した場合、トーンは、ユーザが聞くことができます。数字の場合及び/又は単語コード比較器で比較され、異なるされ、受信したボイスメールの数は、受信セットで削除されます。
【０１３３】
2.D）の手段の受信希望音声SMSを
UのSERは、することを決定で特定のボイスSMS受信、携帯電話端末、固定無線電話および他の無線電話を。その結果、ユーザは、携帯電話の受話器には、適切な施設、固定無線電話および他の無線電話している受信音声SMSは、番号にに関するものであっていないおよび/または言葉ユーザーがしたい受け入れます。そうするためにするために、適切な施設を組み込む受信携帯電話端末で希望の音声SMS、固定無線電話および他の携帯電話のユーザーを。
【０１３４】
モバイルで受信された着信音声SMS時に無線電話機やその他の携帯電話、固定電話端末、コード比較器は、数を比較S及び/又は単語受信のリストとの音声SMS所望の数及び/又は単語をこれは、既に格納されているメモリデバイスの、携帯電話機、無線電話機やその他の携帯電話を固定しました。数字場合及び/又は単語コード比較器で比較されているのと同じであり、受信した音声SMSは、受信セットの表示画面に示されています。ユーザーが受信した音声SMSのアラートトーンを活性化した場合、トーンは、ユーザが聞くことができます。数字の場合及び/又は単語コード比較器で比較され、異なるされ、受信した音声SMSの数は、受信セットで削除されます。
【０１３５】
2.E）の受信手段、希望音声MMSを
ユーザーがすることを決定した特定のボイスMMSを受信、携帯電話端末に固定無線電話および他の無線電話を。その結果、ユーザは、携帯電話の受話器には、適切な施設、固定無線電話および他の携帯電話持っていない受信MMSは数字にに関するものであった音声および/または言葉ユーザーがしたい承諾を。するための適切な施設組み込むために、そうで指名手配音声MMSを受信する携帯電話端末を、固定無線電話および他の携帯電話のユーザー。
【０１３６】
モバイルで受信された着信音声MMS時電話機、固定無線電話および他の無線電話、コード比較器は、数を比較S及び/又は単語受信のリストと音声MMSを既に格納されたかった数字メモリデバイスの携帯電話機、携帯電話および他の無線電話を固定しました。数字場合及び/又は単語コード比較器で比較されているのと同じであり、受信した音声MMSは、受信セットの表示画面に示されています。ユーザーが受信した音声MMSの警報音をアクティブにした場合、トーンは、ユーザが聞くことができます。数字の場合および/または言葉それはで比較されたコード値比較異なり、受信した音声MMSの数は、受信セットで削除されます。
【０１３７】
（III）ティS発明の手段を提供するブロッキング不要にし、受信希望SMS、MMS、電子メール、電話、音声SMS、MMS、音声、ファックス、ボイスメールや他のモードの通信を
1）サーバーでのデータベースのSMSサービスのセンター、MMSサービスセンター
そして、他の通信サービスセンター
2）携帯電話での電話の受話器、固定無線電話及びその他の携帯電話
1。この発明は、ブロッキングの手段を提供不要にし、受信希望SMS、MMS、Eメール、電話の通話、音声SMS、音声MMS、ファックス、ボイスメールやその他の通信モードをサーバにデータベースのSMSサービスのセンターを、MMSサービスセンターそして、他の通信サービスセンター
1.A）のブロッキングの手段不要にし、受信希望SMS、MMS、Eメール、ファックスを
モバイルユーザーは、不要な送信することができますし、数字たかったのおよび/または単語のサーバに携帯電話やその他の携帯電話を固定し、携帯電話からSMSまたは任意の他の適切な設定を使用してSMS、MMS、Eメール、ファックスをデータベースSMSのサービスセンター、MMSサービスセンタと他の通信Serviceの中心のrespecを介しTIVEモバイル・サービス・プロバイダ。モバイルユーザーが複数の不要な送信することができますし、望んでいた数字および/またはSMSの言葉、MMS、サーバへのEメール、携帯電話からファックス、固定無線電話および他の無線電話をデータベースSMSサービスのセンター、MMSサービス中央や他の通信サービスセンター。不要と望んでいた数字および/またはSMSの言葉、MMS、Eメールは、送信されたファックスがサーバーに変更されないままデータベースSMSサービスのセンター、MMSサービスセンター及びその他の通信サービスセンター、モバイルユーザーがすでに保存され変更されるまで不要と望んでいた数字および/またはSMS、MMS、Eメール、ファックスの言葉。SMSサービスセンター、MMSサービスセンターや他の通信サービスセンターでは、不要な送信して欲しかったサーバーへのSMS、MMS、Eメール、ファックスの番号および/または単語をデータベースSMS、MMSなどの。その後、不要とは、望んでいたメモリに格納されている数字および/またはSMS、MMS、Eメール、ファックスの言葉をそれぞれのサーバデータベースのデバイス。
【０１３８】
SMS、MMS、Eメール、ファックスメッセージの受信機は、数字および/または送信者によって送信され、受信SMS、MMS、Eメール、ファックスの言葉を受けます。送信者は、既知または未知の人にSMS、MMS、Eメール、ファックスを送信者をいいます。そして、数字および/または着信SMSの言葉は、MMS、Eメール、ファックスは、コードの共同のに送られ、それぞれのサーバデータベースのmparer。コードはComparerは比較不要で、数字および/または送信者によって送信され、受信SMS、MMS、Eメール、ファックスの言葉をして欲しかった数字および/またはSMSの言葉、MMS、Eメール、ファックスを、その既にメモリに格納されているデバイス、モバイルユーザによって携帯電話、固定無線電話および他の携帯電話から送信されました、。Thが不要な電子そしてたかった数字および/またはSMS、MMS、Eメール、の言葉コードはComparerメモリに格納されているモバイルユーザが携帯電話から送られたファックス、固定無線電話および他の携帯電話をデバイス。
【０１３９】
数字は、携帯電話番号、電話番号、固定することができるように携帯電話の番号と。数字は、携帯電話番号、電話番号、SMS、MMSの固定無線電話番号、電話、ファックスすることができます。数字および/または単語は電子メールIDすることができます。数字および/または単語はSMS、MMS、Eメール、ファックスのメッセージとすることができます。数字および/または単語は任意のキーワードをすることができます。
【０１４０】
符号比較器と、前記コードを含む電子機器比較器は、CPUに接続されている（中央処理装置）と、コード比較器は、SMS、MMSのサーバデータベースにCPUによって操作される等、符号比較器は、内集積チップで動作されますSMS、MMSのサーバ・データベース内の電池および/または外部電源から得られる低消費電力化等、及び集積チップの低電力消費の動作を連続的に非常に長い時間のためのコードの比較器は、前記の機能を動作さ集積チップの低消費電力化の操作はで述べてコードコンペアラーの消費電力を節約するために、サーバーのSMSのデータベース、MMSなどコードを含むデバイスを動作させるために必要な電源は、SMSサービスのサーバのデータベースに比較中心、MMSサービスセンタと他の通信サービスセンタGPRSサポートノードサービング含む（SGSNに）、モバイルサービスは、スイッチングセンター（MSC）、Eメールを、電話、音声、SMS、MMS、音声、ファックス、ボイスメールは、外部電源から得られます。外部電源がバッテリーであることを特徴とします。
【０１４１】
「新しいオプション-アクティブおよびDEACTIVEは、」サーバーで提供されたデータベースのSMSサービスのセンター、MMSサービスセンターおよびその他のコミュニカのションサービスセンター。「活性」は、場合着信の数及び/又は単語SMSは、MMSなどがその上にブロッキングデータベースと、メモリの受信データベースに見出されていないデバイス、着信の数及び/又は単語SMS、上のようにMMSおよびモバイルユーザーに送信される再。「ディアクティブ」とあれば番号及び/または着信の言葉SMS、MMSとsのOがBLOで発見されていないこと弄ぶ天使データベースとも内の受信データベース記憶装置は、数字及び/又は受信の単語のようにSMS、MMSとは、それぞれのサーバに削除されたデータベース。
【０１４２】
モバイルユーザーは、「アクティブまたは新しいオプションの選択を送ることができることにより、ディアクティブ」サーバに、携帯電話からSMSまたは任意の他の適切な設定を使用して固定無線電話および他の無線電話をデータベースの各サービスセンターrespeの経由CTIVEモバイルサービスプロバイダ。モバイルユーザーは、「アクティブまたは選択された新しいオプションを変更することができディアクティブ」。数字および/または着信の言葉場合はSMS、MMSなどにはされていないブロッキングデータベースにもメモリの受信データベースで見つかったデバイスやモバイルユーザに新しいオプションを選択していない「アクティブまたはディアクティブ「サーバーでデータベースの各サービスセンター、[新しいメッセージ（例：「アクティブまたはディアクティブオプションを設定する」）は、サーバからモバイルユーザーに送信されたデータベースの各サービスセンター。
【０１４３】
で受信され、着信番号および/またはSMSの言葉の時には、MMS、ファックス、Eメールのサーバデータベースのそれぞれのサービスセンター、入ってくるSMSの番号および/または単語、MMS、Eメール、符号比較器のブロッキングデータベースに比較されるファックスが異なる、着信SMSの数及び/又は単語、MMS、Eメール、ファックスは、それぞれの番号に送信されます。符号比較器のブロッキングデータベースに比較される着信SMS、MMS、電子メール、ファックスの番号及び/又は単語が同じであれば、その後、数および/またはコード値比較の受信データベースに比較される着信SMS、MMS、電子メール、ファックスの単語。符号比較器の受信データベースに比較される着信SMS、MMS、電子メール、ファックスの番号及び/又は単語が同じであれば、その後、数字および/または着信SMS、MMS、Eメールの言葉は、ファックスは、それぞれの番号に送信されます。符号比較器の受信データベースに比較される着信SMS、MMS、電子メール、ファックスの番号及び/又は単語が異なる場合。着信、SMS、MMS、Eメールの数および/または単語は、ファックスは、新しいオプションに基づいて動作する「アクティブまたはディアクティブ「それぞれのサーバで設定されたデータベース。モバイルユーザーは、不要な削除することができますし、望んでいた数字および/またはWORSMSのDS、MMS、既にメモリに格納されているEメール、ファックスデバイスサーバのデータベースSMSサービスのセンター、MMSサービスセンター及びその他の通信サービスを中央その後、その不要な削除に関連している送信者から受信され、受信SMS、MMS、Eメール、ファックスの番号および/または単語と望んでいた数字および/またはSMSの言葉、MMS、Eメールメモリ内、ファックスデバイスサーバのデータベースSMSサービスの中心、MMSサービスセンタと他の通信サービスセンタは、モバイルユーザに送信することができます。すべてのモバイルユーザーはブロックする機能があるINGの不要にし、受信希望それぞれのモバイルサービスプロバイダの番号および/または単語を。
【０１４４】
サーバーはSMGMSCとコードはComparerに統合されています。ザサーバーのデータベースが不要な削除するように適切に設計されかつ受け入れたかっ銭から受信され、受信SMS、MMS、Eメール、ファックスの番号および/または言葉DERを。含むデバイスコードはComparerは、着信、SMS、MMS、Eメール、すでに不要な保存とファックスの番号および/または単語比較するために適切に設計されてと望んでいた、SMSの番号および/または単語をMMS、Eメールを、メモリ内のファックス装置、サーバのデータベースのSMSサービスセンター、MMSサービスセンタと他の通信サービス。メモリデバイスは、膨大な数及び/又は単語を格納するために適切に設計されています。
【０１４５】
モバイルユーザーは、ブロックしたいさらに場合は不要にし、受信希望番号D/または単語を、新しいオプションを選択し、「アクティブまたはディアクティブ」人はまた、顧客ケア事業者やネットワークオペレータに連絡して、ブロッキングを知らせることができます不要と希望受信番号および/またはワットSMS、MMSや他のモードのords通信のをもとには、新しいオプションの選択「アクティブまたはディアクティブオペレータに知らせることができます。」
接触不要なブロッキングに関するネットワークオペレータに渡された情報に応答し、所望の受信数および/またはSMS、MMS、モバイルユーザの通信の他のモードの単語ネットワークオペレータが直接エントリを入力することができ不要なのと望んでいたように、サーバへの番号および/またはSMS、MMSの言葉とデータベースのそれぞれのサービスの中央すなわち。SMSサービスセンター、MMSサービスセンターなど。ネットワークオペレータは、「アクティブまたはディアクティブ」の新しいオプションを設定できるのサーバデータベース内のそれぞれのサービスセンターを。
【０１４６】
また、ネットワークオペレータは不要なの複数のエントリを入力することができますし、望んでいた番号ので、D/またはSMS、MMSの言葉をし、それぞれのサーバーへのデータベース。
【０１４７】
また、ネットワークオペレータは、不要な削除することができますし、望んでいた、すでにそれぞれのSMSサーバーに格納されている数字および/またはSMS、MMSの言葉とその上のデータベース、MMSサーバーのデータベースようにしています。ネットワークオペレータは、「アクティブまたは新しいオプションの選択すでに変更できディアクティブに。」
さらに、着信SMSの数及び/又はワードは、サーバーでブロックされているので、MMS及びデータベース各サービスの中心は、モバイルユーザーに送信することができないなどの数字および/または着信SMSの単語、MMS及びこれは、サーバに受け入れられているデータベース各サービスの中心モバイルユーザに送信することができます。不要と望んだ数字及び/又は単語が格納されているのEから除去することができ、各サーバーデータベースのntriesネットワークオペレータにモバイルユーザの指示によって。
【０１４８】
1.B）のブロッキングの手段不要にし、受けたかったボイスメールを
任意の電気通信機器の呼び出し側がしようとするたびに、コードの比較子が数字および/または不要と着信のいずれかの電気通信機器の言葉を比較して、ボイスメールボックスの機能を持つ携帯電話を持っている人に連絡して欲しかった数字を、および/またはメモリ内の携帯電話機のユーザーによって保存された単語デバイスボイスのメールサーバのデータベース。
【０１４９】
携帯電話端末の一般的な使用では何もする施設はありません不要な保存と望んでいた数字および/またはボイスメールサーバにおける携帯電話機のユーザーが指定した単語データベースが。
【０１５０】
不要なのブロッキングこの機能組み込むためにと希望受信音声の不要を格納するための他の構成を実現するために緊急に必要があるすべての呼び出し元からのメールをして欲しかったメモリに番号および/または単語をデバイスボイスメールサーバのデータベースとして携帯電話機の利用者が指定しても、不要なを比較すると、望んでいたボイスメールサーバのコードの比較子に番号および/または単語をデータベースとブロックするように送信されたボイスメールメッセージをモバイルユーザーにしても受け入れることを第ボイスメールメッセージではに送信され、モバイルユーザー。
【０１５１】
番号は、携帯することができ、電話番号、電話番号、固定のように携帯電話の番号と。番号は、携帯することができ、電話番号、電話番号、固定無線電話番号、ボイスメールの。数字および/または単語はのメッセージとすることができるようにSMS、電話と。数字および/または単語は任意のキーワードをすることができます。
【０１５２】
発信者が音声によってメッセージを送信するオプションをしようとしたときにメール数及び/又は単語発呼者のは、の符号比較器でその時点で比較されているボイスメールサーバーデータベース。場合数字及び/又は単語発呼者のは、ブロッキングデータベースで同じに見出されていない数字および/または単語指定とに格納されたメモリデバイスボイスメールサーバのデータベース携帯電話ユーザによって、によって送信されたメッセージボイスメールボックスは、モバイルユーザーに送信されます。呼び出し側のボイスメールによるメッセージは、最終的にアクティブになります。もし数字および/または言葉発信者のブロッキングデータベースで同じ発見された指定されたメモリに格納された数値及び/又は単語デバイスボイスメールサーバのデータベース携帯電話ユーザによって、その後の数及び/又は単語発呼者はで比較され受信データベース番号及び/またはワードに指定され、記憶されたメモリデバイスボイスメールサーバのデータベース携帯電話ユーザによる。場合数字及び/又は単語O発信者Fがさの受信データベース内の同じを発見数および/または単語で指定され、記憶された記憶装置ボイスメールサーバのデータベース携帯電話用のにより、NEのユーザが、ボイスメールボックスが送信したメッセージは、モバイルユーザーに送信されます。呼び出し側のボイスメールによるメッセージは、最終的にアクティブになります。場合数字及び/又は単語発呼者のがの受信データベースで同一のを発見していない数字および/または単語で指定され、記憶されたメモリデバイスボイスメールサーバのデータベースのMoによって胆汁電話ユーザは、数字及び/や単語、呼び出し元のは、サーバーで設定された新しいオプション「アクティブまたはディアクティブ」に基づいて動作するデータベース。「アクティブ」ボイスメールボックスが送信したメッセージは、モバイルユーザーに送信されることを意味します。ボイスメールによるメッセージの発信者は、最終的にアクティブになります。「ディアクティブは、」ボイスメールボックスが送信したメッセージがブロックされることを意味します。呼び出し側のボイスメールによるメッセージは、最終的には死んなります。
【０１５３】
1.C）阻止の手段不要にし、受けたかったの着信電話を
ときはいつでも、任意の電気通信機器の発信者はしようとするコード比較器は、比較人連絡番号コールの任意の通信機器のは望ましくないで受信され、メモリ内の携帯電話端末のユーザによって記憶されている数字たかったデバイスのそれぞれをサーバーのデータベース。
【０１５４】
携帯電話端末の一般的な使用では何もする施設はありません不要と望んでいた保存することにより、指定された番号で携帯電話端末の利用者それぞれのサーバーのデータベースが。
【０１５５】
不要なブロッキングのこの特徴組み込むために望んでいた受信着信FのROMに任意の発信者を不要格納する他の構成を実現するための緊急に必要とされていると望んでいた数字をメモリにデバイスの各サーバのデータベースユーザによって指定されます携帯電話機のも不要と望んでいた比較する数字のコードの比較演算で、各サーバーのデータベースをし、ブロックするように送信される着信コール受け入れるためにも、モバイルユーザーにして、着信呼を目にはに送信され、モバイルユーザー。
【０１５６】
番号は、携帯することができ、電話番号、電話番号、固定無線電話番号ようにと。数字は任意のキーワードをすることができます。
【０１５７】
発信者がオプション試みると通話を数値発信者は、コード比較器にその時点で比較されるそれぞれのサーバーデータベース。発信者の番号が阻止DATABに同じに見つからない場合数字のASEメモリで指定され、格納されたデバイスの各サーバデータベース携帯電話ユーザによって、着信呼は、モバイルユーザに送信されます。呼び出し側の着信コールは、最終的にアクティブになります。数字ならば発信者のは、Bに同じ見出される数字のロックデータベース指定されたメモリに格納されたデバイスの各サーバーのデータベース、携帯電話ユーザによっては、発信者の番号が再で比較された数値のceivingデータベース指定されたメモリに格納されたデバイスの各サーバデータベース携帯電話ユーザによって。場合O番号、発信者Fが再において同じ見出される数字のceivingデータベース指定されたメモリに格納されたデバイスの各サーバデータベース携帯電話ユーザによっては、着信呼は、モバイルユーザに送信されます。呼び出し側の着信コールは、最終的にアクティブになります。数字の場合呼び出し側の再で同じ見つからない番号のデータベースceivingメモリに指定され、保存されたデバイスのそれぞれのサーバーのデータベースモービルによって電子の携帯電話のユーザーが、その後、番号、発信者のは、新しいオプションに基づいて動作する「アクティブまたはサーバで設定された」ディアクティブデータベース。「アクティブ」は、着信コールがモバイルユーザーに送信されることを意味します。呼び出し側の着信コールは、最終的にアクティブになります。「ディアクティブは、」着信コールがブロックされることを意味します。呼び出し側の着信コールは、最終的には死んなります。
【０１５８】
1.D）のブロッキングの手段不要にし、受けたかった音声SMSを
任意の電気通信機器の呼び出し側がしようとするたびの施設で携帯電話を持っている人に連絡し、音声SMSコードの比較演算は、コールの任意の電気通信機器の番号および/または単語を比較し、不要と受信と数字を望んでいた、および/またはメモリ内の携帯電話機のユーザーによって保存された単語デバイスの音声SMSのサーバデータベース。
【０１５９】
携帯電話端末の一般的な使用では何もする施設はありませんでの携帯電話機の利用者が指定不要と望んでいた数字および/または単語の保存、音声のSMSサーバーのデータベースを。
【０１６０】
不要なブロッキングのこの特徴組み込むために、所望の受信音声SMSを任意の発信者からの不要な格納するために他の構成を実現するための緊急に必要とされている、メモリ内の番号及び/又は単語を望んでいたデバイスの音声SMSのサーバデータベースとして携帯電話機の利用者が指定しても、不要なを比較するとのコードの比較子に番号および/または単語を望んでいた音声SMSのサーバデータベースおよびブロックするために、モバイルに送信された音声SMSユーザーをも受け入れるように音声SMS番目ではに送信され、モバイルユーザー。
【０１６１】
番号は、携帯することができ、電話番号、電話番号、固定無線電話番号ようにと。番号は、携帯することができ、電話番号、電話番号、固定無線電話番号の音声SMS。数字および/または単語はのメッセージとすることができるようにSMS、電話と。数字および/または単語は任意のキーワードをすることができます。
【０１６２】
発呼者が試みると、メッセージを送信するオプション音声は、SMS番号、および/または発信者の言葉は、符号比較器でその時点で比較されている音声のSMSサーバーデータベース。発信者の番号及び/又は単語を指定してメモリに格納された数値及び/又は単語のブロッキングデータベースで同じに見つからない場合、デバイスの音声SMSのサーバデータベース携帯電話ユーザによって、によって送信されたメッセージ音声SMSは、モバイルユーザーに送信されます。メッセージ、音声SMS呼び出し側の最終的にアクティブになります。発信者の番号及び/又は単語を指定してメモリに格納された数値及び/又は単語のブロッキングデータベースで同じに見つかった場合、デバイスの音声SMSのサーバデータベース携帯電話ユーザによって、次に数字及び/又は呼び出し元の単語が指定され、メモリに格納された数値及び/又は単語の受信データベースに比較されるデバイスの音声SMSのサーバデータベース携帯電話ユーザによって。発信者の番号及び/又は単語は、指定された数及び/又は単語の受信データベースにそれを発見し、メモリに格納されている場合、デバイスの音声SMSサーバーのデータベース、携帯電話の利用者によって、によって送信されたメッセージの音声SMSは、モバイルユーザーに送信されます。メッセージ、音声、SMS、呼び出し元のは、最終的にアクティブになります。呼び出し元の番号および/または単語がTの受信データベースで同じに見つからない場合、彼は数字および/または言葉指定し、メモリに保存されている機器の音声SMSのサーバデータベース、携帯電話のユーザーが、その後の数字と/または発信者の言葉は、サーバーで設定された新しいオプション「アクティブまたはディアクティブ」に基づいて動作するデータベース。「アクティブ」で送信されたメッセージを意味し、音声SMSは、モバイルユーザーに送信されます。によるメッセージ音声SMS、呼び出し元のは、最終的にアクティブになります。「ディアクティブは」によって送信されたメッセージを意味し、音声SMSがブロックされています。メッセージ、音声、SMS、呼び出し元のは、最終的には死んだになります。
【０１６３】
1.E）、ブロッキングの手段不要にし、受けたかった声MMSを
任意の電気通信機器の呼び出し側がしようとするときはいつでも声の施設で携帯電話を持っている人に連絡MMSコード比較演算は、数字を比較および/またはコールの任意の電気通信機器の言葉は不要で受信した数字を望んでいた、および/またはメモリ内の携帯電話機のユーザーによって保存された単語デバイス音声のMMSのサーバーデータベース。
【０１６４】
携帯電話端末の一般的な使用では何もする施設はありません不要と数字および/または音声で携帯電話端末のユーザーが指定した単語たかっ保存MMSのサーバーのデータベースが。
【０１６５】
不要を遮断すると、この機能組み込むためには、希望音声の受信からMMSを任意の発信者を不要な格納するために他の構成を実現するために緊急に必要があり、メモリ内の数値および/または単語を望んでいた機器の音声のMMSのサーバーのデータベースとして携帯電話機の利用者が指定しても、不要なを比較すると、音声のコード比較子に番号および/または単語を望んでいたのMMSサーバーのデータベースと音声ブロックするようにMMS、モバイルユーザーに送信され、また受け入れること音声MMSに送られるモバイルユーザ。
【０１６６】
番号は、携帯することができ、電話番号、電話番号、固定のように携帯電話の番号と。番号は、携帯することができ、電話番号、電話番号、固定無線電話番号音声のMMS。数字および/または単語はのメッセージとすることができるようにSMS、電話と。数字および/または単語は任意のキーワードをすることができます。
【０１６７】
発呼者が試みると音声でメッセージを送信するオプションがMMS番号及び/または発信者の言葉は、音声の符号比較器でその時点で比較されているのMMSサーバーのデータベース。発信者の番号及び/又は単語を指定してメモリに格納された数値及び/又は単語のブロッキングデータベースで同じに見つからない場合、デバイス音声のMMSのサーバデータベース携帯電話ユーザによって、によって送信されたメッセージ音声MMSは、モバイルユーザーに送信されます。音声によるメッセージMMS呼び出し側の最終的にアクティブになります。発信者の番号及び/又は単語を指定してメモリに格納された数値及び/又は単語のブロッキングデータベースで同じに見つかった場合、デバイス音声のMMSのサーバデータベース携帯電話ユーザによって、次に数字及び/又は呼び出し元の単語が指定され、メモリに格納された数値及び/又は単語の受信データベースに比較されるデバイスの音声のMMSサーバデータベース携帯電話ユーザによって。発信者の番号及び/又は単語は、指定された数及び/又は単語の受信データベースにそれを発見し、メモリに格納されている場合、デバイス音声のMMSのサーバデータベースの携帯電話の利用者によっては、音声によって送信されたメッセージMMSは、モバイルユーザーに送信されます。音声によるメッセージMMS、呼び出し元のは、最終的にアクティブになります。発信者の番号及び/又は単語が番目の受信データベース内の同じ見つからなかった場合、E番号及び/又は単語指定されたメモリに格納されている装置の音声のMMSサーバーのデータベース、携帯電話ユーザによっては、次に数字と/または発信者の言葉はニューオプティに基づいて動作する「上のサーバで設定されctiveまたはディアクティブ」データベース。「アクティブ」の音声によって送信されたメッセージを意味MMSをモバイルユーザーに送信されます。音声によるメッセージMMS、呼び出し元のは、最終的にアクティブになります。「ディアクティブは、」音声によって送信されたメッセージを意味MMSがブロックされています。音声によるメッセージMMS、呼び出し元のは、最終的には死んだになります。
【０１６８】
2.本発明は、手段を提供ブロックの不要にし、受信希望SMS、MMS、Eメール、電話、音声、SMS、音声MMS、ファックス、ボイスメールや他のモードの携帯電話端末での通信、固定無線電話及びその他の無線電話。
【０１６９】
T彼は、ユーザーが格納不要と望んでいた数字および/または言葉SMSの、MMS、Eメール、電話、音声、SMS、音声MMS、ファックス、ボイスメールなどのメモリ内デバイス、携帯電話端末の、固定無線を「メニュー」-オプションを使用して携帯電話や他の携帯電話。
【０１７０】
不要な保存のためにと望んでいた数字および/またはWORのDSSMS、MMS、Eメール、電話、音声、SMS、音声MMS、ファックス、ボイスメールなどを、利用者は、携帯電話のメニューを選択し、携帯電話、固定無線電話および他の無線電話、例えば-メッセージメニューは、ユーザーによって開かれます。すなわち-「ブロック不要な番号及び/または言葉」例えば-メッセージメニューにはサブメニューがあります。不要な数字および/またはSMSの言葉、MMS、Eメール、電話、音声、SMS、MMS、音声、ファックス、ボイスメールなど、「募集番号および/または言葉受信」-すなわちを。サブメニューで提供される-数字および/またはSMSの言葉、MMS、Eメール、電話、音声、SMS、音声MMS、ファックス、ボイスメールなどと「アクティブおよびディアクティブ新しいメッセージオプション」を望んでいました。場合は、「アクティブ」と受信の番号及び/または単語のSMS、MMS、Eメール、電話、音声、SMS、音声MMS、ファックス、ボイスメールなどの中でも、ブロッキングデータベースで見つかったとされていませんメモリのデータベース受信装置は、次に数字および/または着信SMSの単語、MMS、電子メール、電話、音声SMS、音声MMS、ファックス、ボイスメールなどの受信の表示画面に表示され、セット。「ディアクティブは」の数字および/または単語の場合は意味受信SMS、MMS、Eメール、電話、音声、SMS、音声MMS、ファックス、ボイスメールなどの中でも、ブロッキングデータベースで見つかったとされていませんメモリの受信データベース装置、その後、数字および/または着信SMS、MMS、その上のEメール、電話、音声、SMS、MMS、音声、ファックス、ボイスメールとの言葉がされて受像機で削除します。ユーザーは、オプションを選択してサブメニューを、不要なを入力して欲しかったように数字および/またはSMS、MMS、Eメール、電話、音声、SMS、音声MMS、ファックス、ボイスメールの言葉とを。その上で、ユーザーがSMSの同じ番号および/または単語を入力する場合は、MMS、Eメール、電話、音声、SMS、音声MMS、ファックス、ボイスメール、ブロッキングデータベースでもサブで受信データベースで次いで、メッセージ例-menu、「エラー番号」はdisplに示されている受信セットのAY画面。ユーザーは、複数の不要な入力することができますし、望んでいました数字および/またはSMSの言葉、MMS、Eメール、電話、音声、SMS、音声MMS、ファックス、ボイスメールなどでサブメニュー。不要とは、望んでいた数字を、および/またはSMS、MMS、の言葉Eメール、電話、音声、SMS、音声MMS、ファックス、ボイスメールとなるようにサブメニューに入力され、メモリに格納されているデバイスの携帯電話機は、携帯電話や他の携帯電話を固定しました。不要と望んでいた数字および/またはSMS、MMS、Eメール、電話、音声、SMS、音声MMS、ファックス、ボイスメールの言葉となるように保存されているが変更されないまま、ブロッキングデータベースとのデータベースの受信サブを-menu、ユーザーが変更するまで不要と望んでいました数字および/またはSMS、MMS、Eメール、電話、音声、SMS、MMS、音声、ファックス、ボイスメールの言葉となるように、既にサブメニューに格納されています。ユーザーが変更することもでき、新しいオプション「アクティブまたはDeactivの選択電子サブメニューでの��。また、ユーザーは、不要な削除することができますし、望んでいた数字および/またはSMSの言葉、MMS、Eメール、電話、音声、SMS、音声MMS、ファックス、ボイスメール、既にされているので、上のメモリに保存されているのデバイス携帯電話端末、固定無線電話および他の携帯電話。秒uはrはITYコードまたはロックコードが不要を保護するために設けられていると望んでいました数字および/またはSMSの言葉、MMS、Eメール、電話、音声、SMS、音声MMS、ファックス、ボイスメールなど携帯電話機のサブメニューに格納されている、固定無線電話及びその他の無線電話。カウンタは、メッセージの数カウントするために設けられている（すなわち。SMS、MMSなど）送信され、受信され、携帯電話機、固定無線電話および他の携帯電話で削除。また、別のカウンタを計算するために提供されるメッセージの持続期間の携帯電話機で受信送信され、固定無線電話および他の無線電話。
【０１７１】
符号比較器と、前記符号比較子を含む電子デバイスは、CPU（CentralProcessingUnit）に接続されており、コード比較器を携帯電話内のCPUによって操作されると、コード比較器をから得られた低消費電力内で集積チップで動作すると言われています携帯電話との統合チップの低消費電力の動作のバッテリーは連続したコードは非常に長い時間のための比較子とで語っコードコンペアラーの消費電力を節約するために統合されたチップの低消費電力の動作の機能を操作しています携帯電話。コードの比較演算は、数字および/またはの言葉と比較受信SMS、MMS、Eメール、電話、音声、SMS、MMS、音声、ファックス、ボイスメールなどの不要と送信者によって送信されたが、そしてたかった数字および/または既にメモリに格納されているSMS、MMS、Eメール、電話、音声、SMS、MMS、音声、ファックス、ボイスメールなどの言葉デバイスユーザーによって入力されます。
【０１７２】
数字は、携帯電話番号、電話番号、固定することができるように携帯電話の番号と。数字は、携帯電話番号、電話番号、SMS、MMS、電話、音声、SMS、MMS、音声、ファックス、ボイスメールの固定無線電話番号を指定できます。数字および/または単語は電子メールIDすることができます。数字および/または単語がようにSMS、MMS、Eメール、電話、音声、SMS、MMS、音声、ファックス、ボイスメールとのメッセージとすることができます。数字および/または単語は任意のキーワードをすることができます。
【０１７３】
コードを含むデバイスの動作に必要な電源は、携帯電話機にパームオペレーティングシステムベースの携帯電話、携帯スマートフォンベースのWindowsオペレーティングシステムは、携帯電話の電池から得られる含む固定無線電話および他の無線電話を比較します携帯電話、固定無線電話及びその他のヤシのオペレーティングシステムベースの携帯電話、携帯、スマートフォンをベースのWindowsオペレーティングシステムを含む無線電話。
【０１７４】
I番号および/またはの言葉F受信ブロッキングデータベースで発見されていないSMS、MMS、Eメール、電話、音声、SMS、音声MMS、ファックス、ボイスメールなどともの受信データベースでメモリ装置は、また、ユーザは、次に、サブメニューで「アクティブまたはディアクティブ」新しいメッセージ新しいオプションを設定していない（「アクティブまたはディアクティブオプションを設定する」の例）を受信セットの表示画面に表示されています。
【０１７５】
2.A）のブロッキングの手段不要にし、受信希望SMS、MMS、ファックス、Eメールを
時の着信メッセージすなわちの。数字および/または着信SMSの言葉、MMS、ファックス、Eメールは、携帯電話端末で受信され、携帯電話や他の携帯電話を固定し、コードの比較子は、数字および/またはの言葉と比較受信SMS、MMSを不要のリストと、ファックス、Eメールおよびたかった数字および/またはすでに保存されているSMS、MMS、ファックス、Eメールの言葉メモリデバイスの携帯電話端末、固定無線電話および他の無線電話を。符号比較器のブロックデータベースに比較される数値及び/又は単語が異なる場合は、数字及び/又は受信されたSMSの単語、MMS、ファックス、Eメールは、受信セットの表示画面に表示され。ユーザーが受信したSMS、MMS、ファックス、のアラートトーンを活性化した場合の電子メールを、トーンは、ユーザが聞くことができます。数字及び/又はワードは、コード比較器のブロックデータベースで比較した場合、同じ、その後、数および/またはコード値比較の受信データベースに比較される言葉です。数字および/またはコード値比較の受信データベースに比較される単語が同じである場合、数字及び/又は受信されたSMSの単語、MMS、ファックス、Eメールは、受信セットの表示画面に表示され。ユーザーが受信したSMS、MMS、ファックス、Eメールのアラートトーンを活性化した場合、トーンは、ユーザが聞くことができます。数字および/またはコード値比較の受信データベースに比較される単語が異なる場合、無感覚ERSおよび/または受信の単語SMS、MMS、ファックス、E-舞Lは、新しいメッセージオプションに基づいて動作しますサブメニューで選択した「アクティブまたはディアクティブ」。「活性」は、数値および/または受信の単語意味SMS、MMS、電子メール、ファックスはdispla用に示されている受信セットのy画面。「ディアクティブ」は、数字および/または受信の言葉意味SMS、MMS、Eメールを、ファックスが受信セットに削除されます。
【０１７６】
2.B）の手段のブロッキング不要にし、受けたかったの着信電話の通話を
ユーザーがすることを決定したブロックともすることで、特定の着信電話受信トン彼の携帯電話端末、固定無線電話および他の無線電話を。これにより、ユーザは、着信ブロックする携帯電話機には適切な施設、固定無線電話および他の携帯電話を持っていないコールをユーザがしたい番号にに関するものであっ回避し、また、着信コールを受信するために、ユーザが望む数にに関するものであっ受け入れるために。だから、不要をブロックするために、適切な施設を組み込むためにと望んでいた受信、携帯電話端末内の着信コール、固定無線電話とユーザーの他の無線電話を：
モバイルで受信された電話の着信時に電話機、固定無線電話および他の無線電話、コード比較器は、不要のリストを受信した着信番号とを比較し、望んでいた既に格納されている数字メモリデバイスの携帯電話端末、固定無線電話および他の無線電話。符号比較器のブロックデータベースに比較される数が異なる場合は、受信した着信コールの数は、受信セットの表示画面に示されています。利用者は、受信のアラートトーンを活性化した場合、着信呼を、トーンは、ユーザが聞くことができます。数の場合符号比較器のブロックデータベースが同じでそれを、次いで数と比較されるコード比較器の受信データベースに比較されます。符号比較器の受信データベースに比較される数が同じであれば、数受信の着信コールが受信セットの表示画面に示されています。利用者は、受信のアラートトーンを活性化した場合、着信呼を、トーンは、ユーザが聞くことができます。場合数Tの帽子は、コード比較器の受信データベースに比較される異なる、次いで数受信の着信呼が新しいメッセージオプションに基づいて動作する「アクティブまたはディアクティブ」としてで選択サブメニュー。「アクティブ」数を意味受信の着信がRECE用の表示画面に表示されivingセット。「ディアクティブ」とは数受信の着信が受信セットで削除されます。
【０１７７】
2.C）阻止の手段不要にし、受信希望ボイスメールを
ユーザーはブロックするようにし、また、特定の受信することを決定したボイスメールを携帯電話端末、固定無線電話および他の携帯電話に。その結果、ユーザはブロックするために、携帯電話端末には、適切な施設、固定無線電話および他の携帯電話を持っていないボイスメールを番号にに関するものであっ及び/または言葉ユーザーは避けるようにしても受信したいボイスメールを番号にに関するものであっおよび/または言葉ユーザーが受け入れることを望んでいます。だから、不要をブロックするために、適切な施設を組み込み、希望受け取るためにでボイスメールを携帯電話端末、固定無線電話とユーザーの他の携帯電話：
着信時にボイスメールモバイルで受信された無線電話および他の携帯電話、固定電話端末、コード比較器は、比較数S及び/又は単語をoを受信Fボイスメール不要のリストをと望んでいた数字と/または単語既に格納されているメモリデバイスの携帯電話、携帯電話、無線電話および他の無線電話を固定。番号場合、S及び/又は単語コード比較器のブロックデータベースに比較され、その後数異なり、S及び/又は単語受信のボイスメール受信設定の画面に示されています。利用者は、受信のアラートトーンを活性化した場合、ボイスメールを、トーンは、ユーザが聞くことができます。番号場合、S及び/又は単語コード比較器のブロックデータベースに比較されているのと同じであり、その後数Sおよび/または単語コード比較器の受信データベースに比較されます。番号場合、S及び/又は単語コード比較器の受信データベースで比較されているのと同じであり、その後数S及び/又は単語受信のボイスメール受信セットの表示画面に示されています。利用者は、受信のアラートトーンを活性化した場合、ボイスメールを、トーンは、ユーザが聞くことができます。番号場合、S及び/又は単語コード比較器の受信データベースに比較される異なる、次いで数S及び/又は単語受信のボイスメールが新しいメッセージオプションに基づいて動作する「アクティブまたはディアクティブ」として選択されでサブメニュー。「アクティブ」数を意味S及び/又は単語受信の音声メールdispla用に示されている受信セットのY画面を表示します。「ディアクティブ」と数秒および/または言葉受信のボイスメールは受信セットに削除されます。
【０１７８】
2.D）のブロッキングの手段不要にし、受信希望音声SMSを
ユーザは、ブロックすると、特定の音声受信することを決定したSMS携帯電話端末において、固定無線電話および他の無線電話。その結果、ユーザは、音声ブロックするために携帯電話端末には、適切な施設、固定無線電話および他の携帯電話を持っていないSMSを番号にに関するものであっ及び/または言葉ユーザーは避けるようにしても、音声受信したいSMSを番号にに関するものであっおよび/または言葉ユーザーが受け入れることを望んでいます。だから、不要をブロックするために、適切な施設を組み込み、希望音声受信するために、SMS携帯電話端末、固定無線電話とユーザーの他の携帯電話では：
着信音声時にSMSモバイルで受信された無線電話および他の携帯電話、固定電話端末、コード比較器は、数を比較S及び/又は単語受信した音声のSMS不要とたかった番号のリストとを/とまたは単語既に格納されているメモリデバイスの携帯電話機、固定無線電話および他の無線電話。numbeの場合、RS及び/またはワードに比較されるコード比較器のブロックデータベースが異なる、次いで数Sおよび/または単語受信した音声のSMS受信セットの表示画面に示されています。ユーザーが受信した音声のアラートトーンを活性化した場合、SMSを、トーンは、ユーザが聞くことができます。番号場合、S及び/又は単語コード比較器のブロックデータベースに比較されているのと同じであり、その後数Sおよび/または単語コード比較器の受信データベースに比較されます。番号場合、S及び/又は単語コード比較器の受信データベースで比較されているのと同じであり、その後数Sおよび/または単語受信した音声のSMSを受信セットの表示画面に示されています。ユーザーは、受信した音声のアラートトーンを活性化した場合SMSを、トーンは、ユーザが聞くことができます。番号場合、S及び/又は単語コード比較器の受信データベースに比較される異なる、次いで数Sおよび/または単語受信した音声のSMSは、新しいメッセージオプションに基づいて動作する「アクティブまたはディアクティブ」が選択されるようサブメニューインチ「アクティブ」数を意味S及び/又は単語受信した音声のSMSoを表示画面に表示され、受信Fセット。「ディアクティブ」は、数S及び/又は単語受信の音声SMSを受信セットで削除されます。
【０１７９】
2.E）の手段のブロッキング不要にし、受信希望音声MMSを
ユーザは、ブロックするように決定し、LSOは、特定の音声M受信する携帯電話機でMS、固定無線電話および他の無線電話。これにより、ユーザは、携帯電話機には適切な施設、固定無線電話および他の携帯電話を持っていないM音声ブロックするMSは、番号にに関するものであっ及び/又は単語、ユーザが避けたいともM音声受信するMSがへに関するものであっを数字および/または言葉ユーザーが受け入れることを望んでいます。そうunwanteブロックに適した設備組み込むために、Dおよび所望の音声M受ける携帯電話機でMSを、無線電話とユーザーの他の無線電話を固定：
で着信音声Mの時、携帯電話機に受信された無線電話および他の無線電話を固定しているMSは、符号比較器は、数を比較S及び/又は単語の受話音声M不要とたかった番号のリストとMSを及び/又は単語既に格納されているメモリデバイスの無線電話および他の携帯電話、固定携帯電話機、。番号場合、S及び/又は単語コード比較器のブロックデータベースで比較が異なる、次いで番目E番号S及び/又は単語受話音声MのMSは、受信セットの表示画面に示されています。ユーザーはアルアクティブにした場合、受信した音声MのERT音MSを、トーンは、ユーザが聞くことができます。番号場合、S及び/又はワードがコード比較器のブロックデータベースで比較され、その後数、同じS及び/又は単語がされているコード比較器の受信データベースに比べ。番号場合、S及び/又は単語れるコード比較器の受信データベースに比べては同じで、次いで番目電子数Sおよび/または単語受話音声MのMSは、受信セットの表示画面に示されています。ユーザーはアルアクティブにした場合、受信した音声MのERT音MSを、トーンは、ユーザが聞くことができます。番号場合、S及び/又は単語コード比較器の受信データベースに比較される異なる、次いで数S及び/又は単語受信の声MMSが操作され、新しいメッセージのオプションに基づいて、「アクティブまたはディアクティブ」としてサブメニューで選択しました。「アクティブ」受信の数を意味M音声MSは番目の表示画面に表示され、Eが設定受信します。「ディアクティブ」は、受信した多数の音声MMSは、受信セットで削除されます。
【図１】
2018514169.tif 000003
【図２】
2018514169.tif 000004
【図３】
2018514169.tif 000005
【国際調査報告】
2018514169.tif 000006
2018514169.tif 000007
2018514169.tif 000008